(57)【特許請求の範囲】
【請求項１】
基地局装置と複数の制御装置に接続された中継装置であって、
前記制御装置を示す識別子と前記基地局装置の動作を示す動作情報とを含む所定のメッセージを複数の前記制御装置から受信した場合、受信した前記所定のメッセージ各々に含まれる前記識別子と前記動作情報の組を１つのメッセージに含めて前記基地局装置に送信する制御手段を備え、
前記動作情報は、前記制御装置との通信を制限する前記基地局装置の動作を示す情報である、
ことを特徴とする中継装置。
【請求項２】
前記所定のメッセージは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）に規定されるＯｖｅｒｌｏａｄ  Ｓｔａｒｔメッセージである、
ことを特徴とする請求項１に記載の中継装置。
【請求項３】
前記動作情報は、受信を拒否するトラヒックの割合を示す規制情報を含む、
ことを特徴とする請求項１乃至２のいずれか１項に記載の中継装置。
【請求項４】
前記規制情報は、３ＧＰＰに規定されるＴｒａｆｆｉｃ  Ｌｏａｄ  Ｒｅｄｕｃｔｉｏｎ  Ｉｎｄｉｃａｔｉｏｎである、
ことを特徴とする請求項３に記載の中継装置。
【請求項５】
複数の前記基地局装置に接続し、
前記制御手段は、前記制御装置から受信した３ＧＰＰに規定されるＯｖｅｒｌｏａｄ  Ｓｔｏｐメッセージを、前記基地局装置毎に所定時間、時間を空けて送信する、
ことを特徴とする請求項１乃至４のいずれか１項に記載の中継装置。
【請求項６】
中継装置を介して複数の制御装置に接続された基地局装置であって、
前記中継装置から受信した１つのメッセージから、前記制御装置を示す識別子と前記基地局装置の動作を示す動作情報の組を複数抽出する抽出手段と、
抽出した前記組毎に、前記組の前記識別子が示す前記制御装置との通信において、前記組の前記動作情報が示す動作を行う動作手段と、を備え、
前記動作は、前記通信を制限する動作である、
ことを特徴とする基地局装置。
【請求項７】
前記動作情報は、受信を拒否するトラヒックの割合を示す規制情報を含み、
前記動作手段は、前記通信において、前記動作情報から抽出した前記規制情報が示す割合で、受信したトラヒックを拒否する動作を行う、
ことを特徴とする請求項６に記載の基地局装置。
【請求項８】
中継装置が基地局装置と複数の制御装置に接続されたシステムであって、
前記中継装置は、請求項１乃至５のいずれか１項に記載の中継装置であり、
前記基地局装置は、請求項６乃至７のいずれか１項に記載の基地局装置である、
ことを特徴とするシステム。
【請求項９】
基地局装置と複数の制御装置に接続された装置の方法であって、
前記制御装置を示す識別子と前記基地局装置の動作を示す動作情報とを含む所定のメッセージを複数の前記制御装置から受信した場合、受信した前記所定のメッセージ各々に含まれる前記識別子と前記動作情報の組を１つのメッセージに含めて前記基地局装置に送信し、
前記動作情報は、前記制御装置との通信を制限する前記基地局装置の動作を示す情報である、
ことを特徴とする方法。
【請求項１０】
基地局装置と複数の制御装置に接続された装置のプロセッサに、
前記制御装置を示す識別子と前記基地局装置の動作を示す動作情報とを含む所定のメッセージを複数の前記制御装置から受信した場合、受信した前記所定のメッセージ各々に含まれる前記識別子と前記動作情報の組を１つのメッセージに含めて前記基地局装置に送信する制御処理を行わせるためのプログラムであり、
前記動作情報は、前記制御装置との通信を制限する前記基地局装置の動作を示す情報である、
ことを特徴とするプログラム。
【発明の詳細な説明】
【技術分野】
【０００１】
本発明は、中継装置、基地局、システム、方法、及びプログラムを記録した記録媒体に関し、特に、輻輳制御を行う中継装置、基地局、システム、方法、及びプログラムを記録した記録媒体に関する。
【背景技術】
【０００２】
（１）Ｏｖｅｒｌｏａｄ  Ｓｔａｒｔメッセージ
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）には、Ｏｖｅｒｌｏａｄ  Ｓｔａｒｔメッセージが規定されている。Ｏｖｅｒｌｏａｄ  Ｓｔａｒｔメッセージは、ＭＭＥ（Ｍｏｂｉｌｉｔｙ  Ｍａｎａｇｅｍｅｎｔ  Ｅｎｔｉｔｙ）が輻輳状態になったことを示すメッセージであり、輻輳状態となったＭＭＥから送信される。【０００３】
（２）移動体通信システムにおけるＯｖｅｒｌｏａｄ  Ｓｔａｒｔメッセージ
図１は、一般的な移動体通信システムの構成例を示す図である。【０００４】
一般的な移動体通信システムでは、図１に示されるように、ＨｅＮＢ−ＧＷ（Ｈｏｍｅ  ｅＮｏｄｅＢ  Ｇａｔｅｗａｙ）がＭＭＥに接続されており、ＨｅＮＢ−ＧＷは、輻輳状態となったＭＭＥからＯｖｅｒｌｏａｄ  Ｓｔａｒｔメッセージを受信する。ＨｅＮＢ−ＧＷは、受信したＯｖｅｒｌｏａｄ  Ｓｔａｒｔメッセージを、接続する各ＨｅＮＢ（Ｈｏｍｅ  ｅＮｏｄｅＢ）に送信する。各ＨｅＮＢは、受信したＯｖｅｒｌｏａｄ  Ｓｔａｒｔメッセージに含まれる情報要素が示す動作、具体的には、ＭＭＥへのトラヒックを制限する動作を行う。その結果、各ＨｅＮＢからＭＭＥへのトラヒックが少なくなり、ＭＭＥの輻輳状態が解消する。【０００５】
（３）Ｏｖｅｒｌｏａｄ  Ｓｔａｒｔメッセージの構成
上述のＯｖｅｒｌｏａｄ  Ｓｔａｒｔメッセージは、非特許文献１、２の３ＧＰＰに規定がされている。図２、３は、３ＧＰＰに規定されるＯｖｅｒｌｏａｄ  Ｓｔａｒｔメッセージを説明する為の図である。【０００６】
Ｏｖｅｒｌｏａｄ  Ｓｔａｒｔメッセージは、図２の表に示されるように、Ｏｖｅｒｌｏａｄ  ＲｅｓｐｏｎｓｅやＧＵＭＭＥＩ等の情報要素を含む。ＧＵＭＭＥＩは、ＭＭＥを示す識別子である。【０００７】
Ｏｖｅｒｌｏａｄ  Ｒｅｓｐｏｎｓｅは、ＭＭＥへのトラヒックを制限するＨｅＮＢの動作を示す情報要素である。Ｏｖｅｒｌｏａｄ  Ｒｅｓｐｏｎｓｅは、図３に示されるように、ＲＲＣコネクションの確立を拒絶するＨｅＮＢの動作を示す情報要素であってもよい。ＲＲＣコネクションの確立を拒絶することは、ＲＲＣコネクションの確立に関するトラヒックを拒絶することであり、ＭＭＥへのトラヒックを制限することになるからである。ＲＲＣは、Ｒａｄｉｏ  Ｒｅｓｏｕｒｃｅ  Ｃｏｎｔｒｏｌの略称である。【０００８】
（４）ＨｅＮＢ−ＧＷによる輻輳制御
上述のＨｅＮＢ−ＧＷは、Ｏｖｅｒｌｏａｄ  Ｓｔａｒｔメッセージに複数のＧＵＭＭＥＩを含めてもよい。なぜなら、Ｏｖｅｒｌｏａｄ  Ｓｔａｒｔメッセージは、図２に示される通り、１…＜ｍａｘｎｏｆＭＭＥＣｓ＞の範囲で複数のＧＵＭＭＥＩを含むことができるからである。ｍａｘｎｏｆＭＭＥＣｓは値２５６である。【０００９】
その為、ＨｅＮＢ−ＧＷは、複数のＧＵＭＭＥＩを含むＯｖｅｒｌｏａｄ  ＳｔａｒｔメッセージをＨｅＮＢに送信することができる。その場合、ＨｅＮＢは、複数のＧＵＭＭＥＩを含むＯｖｅｒｌｏａｄ  ＳｔａｒｔメッセージをＨｅＮＢ−ＧＷから受信する。ＨｅＮＢは、受信したＯｖｅｒｌｏａｄ  Ｓｔａｒｔメッセージに含まれる複数のＧＵＭＭＥＩが示す各ＭＭＥのトラヒックについて、トラヒックを制限する動作を行う。その際、ＨｅＮＢは、受信したＯｖｅｒｌｏａｄ  Ｓｔａｒｔメッセージに含まれるＯｖｅｒｌｏａｄ  Ｒｅｓｐｏｎｓｅに示される動作を行うことで、トラヒックを制限する動作を行う。その結果、複数のＭＭＥへのトラヒックが少なくなり、各ＭＭＥの輻輳状態が解消する。【００１０】
上述のように、ＨｅＮＢ−ＧＷは、複数のＧＵＭＭＥＩを含むＯｖｅｒｌｏａｄ  Ｓｔａｒｔメッセージを１つ送信することで、複数のＭＭＥについて輻輳制御を行うことができる。【００１１】
（５）特許文献１のシステムに関する説明
ＭＭＥに接続された装置については、特許文献１に開示されている。図４は、特許文献１のシステムの構成例を示す図である。【００１２】
特許文献１のシステムは、図４に示されるように、ＭＭＥ９０と、アクセスポイント９１、９２、９３と、コンセントレータ構成要素９４と、を備える。アクセスポイント９１、９２、９３は基地局である。コンセントレータ構成要素９４は、ＭＭＥ９０とアクセスポイント９１、９２、９３に接続する。【００１３】
コンセントレータ構成要素９４は、ＭＭＥ９０の識別子（例えば、ＧＵＭＭＥＩ）と、アクセスポイント９１、９２、９３を示す識別子と、を関連づけたルーティングテーブルを記憶する。コンセントレータ構成要素９４は、ＭＭＥ９０からパケットを受信すると、受信したパケット内に含まれるＭＭＥ９０の識別子と、上記ルーティングテーブルと、に基づいて、受信したパケットに関連するアクセスポイント９１、９２、９３の識別子を取得する。コンセントレータ構成要素９４は、取得した識別子のアクセスポイント９１、９２、９３にパケットを送信する。【００１４】
上述の構成や動作の通り、特許文献１のコンセントレータ構成要素９４は、ＭＭＥ９０からのパケットをアクセスポイント９１、９２、９３に中継することができる。【００１５】
コンセントレータ構成要素９４は、ＭＭＥと基地局との間に接続されているので、一般的なＨｅＮＢ−ＧＷに相当し、３ＧＰＰの規定に従ってＯｖｅｒｌｏａｄ  Ｓｔａｒｔメッセージを基地局に送信してもよい。その場合、コンセントレータ構成要素９４は、一般的なＨｅＮＢ−ＧＷと同様に、ＭＭＥについて輻輳制御を行うことができる。
【先行技術文献】
【特許文献】
【００１６】
【特許文献１】特表２０１３−５３５８５１号公報
【非特許文献】
【００１７】
【非特許文献１】３ＧＰＰ  ＴＳ３６．３００  Ｖ１４．３．０  Ｏｖｅｒａｌｌ  ｄｅｓｃｒｉｐｔｉｏｎ；  Ｓｔａｇｅ  ２
【非特許文献２】３ＧＰＰ  ＴＳ３６．４１３  Ｖ１４．３．０  Ｓ１  Ａｐｐｌｉｃａｔｉｏｎ  Ｐｒｏｔｏｃｏｌ  （Ｓ１ＡＰ）
【発明の概要】
【発明が解決しようとする課題】
【００１８】
しかし、特許文献１のコンセントレータ構成要素９４を含め、一般的なＨｅＮＢ−ＧＷは、１つのＯｖｅｒｌｏａｄ  Ｓｔａｒｔメッセージで、ＭＭＥ毎に異なる輻輳制御を行うことができないという課題があった。【００１９】
なぜなら、３ＧＰＰに規定されているＯｖｅｒｌｏａｄ  Ｓｔａｒｔメッセージには、図２に示されるように、１つしかＯｖｅｒｌｏａｄ  Ｒｅｓｐｏｎｓｅが設けられていないからである。その為、ＨｅＮＢ−ＧＷは、Ｏｖｅｒｌｏａｄ  Ｓｔａｒｔメッセージに、ＧＵＭＭＥＩ毎（すなわち、ＭＭＥ毎）に異なるＯｖｅｒｌｏａｄ  Ｒｅｓｐｏｎｓｅを設定できず、ＭＭＥ毎に異なる輻輳制御を行うことができなかった。【００２０】
本発明は、上記課題を解決する中継装置、基地局、システム、方法、及びプログラムを記録した記録媒体を提供することを目的とする。
【課題を解決するための手段】
【００２１】
上記目的を達成するために、本発明の中継装置は、基地局装置と複数の制御装置に接続された中継装置であって、前記制御装置を示す識別子と前記基地局装置の動作を示す動作情報とを含む所定のメッセージを複数の前記制御装置から受信した場合、受信した前記所定のメッセージ各々に含まれる前記識別子と前記動作情報の組を１つのメッセージに含めて前記基地局装置に送信する制御手段を備え、前記動作情報は、前記制御装置との通信を制限する前記基地局装置の動作を示す情報である。【００２２】
上記目的を達成するために、本発明の基地局装置は、中継装置を介して複数の制御装置に接続された基地局装置であって、前記中継装置から受信した１つのメッセージから前記制御装置を示す識別子と前記基地局装置の動作を示す動作情報の組を複数抽出する抽出手段と、抽出した前記組毎に、前記組の前記識別子が示す前記制御装置との通信において、前記組の前記動作情報が示す動作を行う動作手段と、を備え、前記動作は、前記通信を制限する動作である。【００２３】
上記目的を達成するために、本発明のシステムは、中継装置が基地局装置と複数の制御装置に接続されたシステムであって、前記中継装置は、基地局装置と複数の制御装置に接続された中継装置であって、前記制御装置を示す識別子と前記基地局装置の動作を示す動作情報とを含む所定のメッセージを複数の前記制御装置から受信した場合、受信した前記所定のメッセージ各々に含まれる前記識別子と前記動作情報の組を１つのメッセージに含めて前記基地局装置に送信する制御手段を備え、前記動作情報は、前記制御装置との通信を制限する前記基地局装置の動作を示す情報であり、前記基地局装置は、中継装置を介して複数の制御装置に接続された基地局装置であって、前記中継装置から受信した１つのメッセージから前記制御装置を示す識別子と前記基地局装置の動作を示す動作情報との組を複数抽出する抽出手段と、抽出した前記組毎に、前記組の前記識別子が示す前記制御装置との通信において、前記組の前記動作情報が示す動作を行う動作手段と、を備え、前記動作は、前記通信を制限する動作である。【００２４】
上記目的を達成するために、本発明の方法は、基地局装置と複数の制御装置に接続された装置の方法であって、前記制御装置を示す識別子と前記基地局装置の動作を示す動作情報とを含む所定のメッセージを複数の前記制御装置から受信した場合、受信した前記所定のメッセージ各々に含まれる前記識別子と前記動作情報の組を１つのメッセージに含めて前記基地局装置に送信し、前記動作情報は、前記制御装置との通信を制限する前記基地局装置の動作を示す情報である。【００２５】
上記目的を達成するために、本発明のプログラムを記録した記録媒体は、基地局装置と複数の制御装置に接続された装置のプロセッサに、前記制御装置を示す識別子と前記基地局装置の動作を示す動作情報とを含む所定のメッセージを複数の前記制御装置から受信した場合、受信した前記所定のメッセージ各々に含まれる前記識別子と前記動作情報の組を１つのメッセージに含めて前記基地局装置に送信する制御処理を行わせるためのプログラムを記録した記録媒体であり、前記動作情報は、前記制御装置との通信を制限する前記基地局装置の動作を示す情報である。
【発明の効果】
【００２６】
本発明によれば、ＨｅＮＢ−ＧＷは、１つのＯｖｅｒｌｏａｄ  Ｓｔａｒｔメッセージで、ＭＭＥ毎に異なる輻輳制御を行うことができる。
【図面の簡単な説明】
【００２７】
【図１】一般的な移動体通信システムの構成例を示す図である。
【図２】３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）に規定されるＯｖｅｒｌｏａｄ  Ｓｔａｒｔメッセージを説明する為の図（その１）である。
【図３】３ＧＰＰに規定されるＯｖｅｒｌｏａｄ  Ｓｔａｒｔメッセージを説明する為の図（その２）である。
【図４】特許文献１のシステムの構成例を示す図である
【図５】本発明の第１の実施の形態におけるシステムが使用するＯｖｅｒｌｏａｄ  Ｓｔａｒｔメッセージを説明する為の図である。
【図６】本発明の第１の実施の形態におけるシステムの構成例を示す図である。
【図７】本発明の第１の実施の形態におけるシステムに備わるＨｅＮＢ−ＧＷ（Ｈｏｍｅ  ｅＮｏｄｅＢ  Ｇａｔｅｗａｙ）の構成例を示す図である。
【図８】本発明の第１の実施の形態におけるシステムに備わるＨｅＮＢ（Ｈｏｍｅ  ｅＮｏｄｅＢ）の構成例を示す図である。
【図９】本発明の第１の実施の形態におけるシステムの動作を説明する為の図である。
【図１０】本発明の第１の実施の形態におけるシステムの動作（トラヒックを制限する動作を解除する動作）を説明する為の図である。
【図１１】本発明の第２の実施の形態におけるシステムが使用するＯｖｅｒｌｏａｄ  Ｓｔａｒｔメッセージの構成例を示す図である。
【図１２】本発明の第２の実施の形態におけるシステムの構成例を示す図である。
【図１３】本発明の第２の実施の形態におけるシステムに備わるＨｅＮＢ−ＧＷの構成例を示す図である。
【図１４】本発明の第２の実施の形態におけるシステムに備わるＨｅＮＢの構成例を示す図である。
【図１５】本発明の第２の実施の形態におけるシステムの動作を説明する為の図である。
【図１６】本発明の第３の実施の形態におけるシステムの構成例を示す図である。
【図１７】本発明の第３の実施の形態におけるシステムに備わるＨｅＮＢ−ＧＷの構成例を示す図である。
【図１８】本発明の第３の実施の形態におけるシステムの動作を説明する為の図である。
【図１９】本発明の第４の実施の形態におけるシステムの構成例を示す図である。
【発明を実施するための形態】
【００２８】
次に本発明の実施形態について、図面を参照して詳細に説明する。図５は、本発明の第１の実施の形態におけるシステムが使用するＯｖｅｒｌｏａｄ  Ｓｔａｒｔメッセージを説明する為の図である。
【００２９】
≪第１の実施の形態≫
[概要]
本実施形態のシステムに備わるＨｅＮＢ−ＧＷは、図５に示されるＯｖｅｒｌｏａｄ  Ｓｔａｒｔメッセージを用いる。図５のＯｖｅｒｌｏａｄ  Ｓｔａｒｔメッセージは、ＧＵＭＭＥＩ毎にＯｖｅｒｌｏａｄ  Ｒｅｓｐｏｎｓｅが設けられたメッセージである。本実施形態のシステムに備わるＨｅＮＢ−ＧＷは、図５のＯｖｅｒｌｏａｄ  Ｓｔａｒｔメッセージ１つに、ＧＵＭＭＥＩ毎に異なるＯｖｅｒｌｏａｄ  Ｒｅｓｐｏｎｓｅを設定してＨｅＮＢに送信する。
【００３０】
その結果、本実施形態のシステムに備わるＨｅＮＢ−ＧＷは、１つのＯｖｅｒｌｏａｄ  Ｓｔａｒｔメッセージで、ＧＵＭＭＥＩ毎（すなわち、ＭＭＥ毎）に異なる輻輳制御を行うことができる。
【００３１】
以下に、本発明の第１の実施の形態におけるシステムの構成や機能、動作について説明する。
【００３２】
［構成の説明］
まず、本発明の第１の実施の形態におけるシステムの構成と機能について説明する。図６は、本発明の第１の実施の形態におけるシステムの構成例を示す図である。
【００３３】
（１）本発明の第１の実施の形態におけるシステムの構成
本実施形態のシステムは、図６に示されるように、ＨｅＮＢ−ＧＷ（Ｈｏｍｅ  ｅＮｏｄｅＢ  Ｇａｔｅｗａｙ）１と、ＨｅＮＢ（Ｈｏｍｅ  ｅＮｏｄｅＢ）２、３、４と、ＭＭＥ５、６と、を備える。ＭＭＥは、Ｍｏｂｉｌｉｔｙ  Ｍａｎａｇｅｍｅｎｔ  Ｅｎｔｉｔｙの略称である。ＨｅＮＢ−ＧＷ１は、有線回線を介してＨｅＮＢ２、３、４及びＭＭＥ５、６と接続される。
【００３４】
（２）ＨｅＮＢ−ＧＷ１の構成
図７は、本発明の第１の実施の形態におけるシステムに備わるＨｅＮＢ−ＧＷ１の構成例を示す図である。
【００３５】
ＨｅＮＢ−ＧＷ１は、図７に示されるように、呼制御部１０＿１と、呼制御部１０＿２と、呼制御部１０＿３と、データ管理部１１と、を備える。呼制御部１０＿１、呼制御部１０＿２、及び呼制御部１０＿３は、以下、「呼制御部１０＿１〜１０＿３」と総称する。
【００３６】
呼制御部１０＿１〜１０＿３は、図示していないが、各々、データ管理部１１と有線回線を介して接続される。データ管理部１１は一般的なメモリである。
【００３７】
呼制御部１０＿１は、有線回線を介してＭＭＥ５と接続される。呼制御部１０＿２は、有線回線を介してＭＭＥ６と接続される。呼制御部１０＿３は、有線回線を介してＨｅＮＢ２、３、４と接続される。また、呼制御部１０＿３は、有線回線を介して、呼制御部１０＿１と呼制御部１０＿２に接続される。
【００３８】
（３）ＨｅＮＢ２、３、４の構成
ＨｅＮＢ２、３、４は、同じ構成を備えるので、代表してＨｅＮＢ２の構成について説明する。図８は、本発明の第１の実施の形態におけるシステムに備わるＨｅＮＢ２の構成例を示す図である。
【００３９】
ＨｅＮＢ２は、図８に示されるように、抽出部１２と、動作部１３と、を備える。ＨｅＮＢ２の抽出部１２は、有線回線を介してＨｅＮＢ−ＧＷ１の呼制御部１０＿３と接続される。ＨｅＮＢ２の動作部１３は、有線回線を介して抽出部１２と接続される。
【００４０】
（４）ＨｅＮＢ−ＧＷ１が使用する新しいメッセージ
本実施形態のＨｅＮＢ−ＧＷ１は、図５に示される新しいＯｖｅｒｌｏａｄ  Ｓｔａｒｔメッセージを使用する。図５に示されるＯｖｅｒｌｏａｄ  Ｓｔａｒｔメッセージは、ＧＵＭＭＥＩ  Ｌｉｓｔ内に、ＧＵＭＭＥＩとＯｖｅｒｌｏａｄ  Ｒｅｓｐｏｎｓｅが定義されたメッセージである。言い換えると、図５に示されるＯｖｅｒｌｏａｄ  Ｓｔａｒｔメッセージは、ＧＵＭＭＥＩ毎にＯｖｅｒｌｏａｄ  Ｒｅｓｐｏｎｓｅが備わるメッセージである。
【００４１】
（５）各機能部の実現方法について
ＨｅＮＢ−ＧＷ１の呼制御部１０＿１〜１０＿３は、各々、ＣＰＵ（Ｃｅｎｔｒａｌ  Ｐｒｏｃｅｓｓｉｎｇ  Ｕｎｉｔ）等の演算処理装置と、ＲＡＭ（Ｒａｎｄｏｍ  Ａｃｃｅｓｓ  Ｍｅｍｏｒｙ）等の一般的なメモリと、を用いて実現することができる。ＨｅＮＢ−ＧＷ１のデータ管理部１１は、ＲＡＭ等の一般的なメモリを用いて実現することができる。
【００４２】
ＨｅＮＢ２、３、４の抽出部１２と動作部１３は、ＣＰＵ（Ｃｅｎｔｒａｌ  Ｐｒｏｃｅｓｓｉｎｇ  Ｕｎｉｔ）等の演算処理装置と、ＲＡＭ（Ｒａｎｄｏｍ  Ａｃｃｅｓｓ  Ｍｅｍｏｒｙ）等の一般的なメモリと、を用いて実現することができる。
【００４３】
（６）本実施形態におけるシステムに備わる各装置の機能
まず、ＨｅＮＢ−ＧＷ１の機能について説明を行う。説明は、ＨｅＮＢ−ＧＷ１の機能部毎に行う。
【００４４】
（６−１）ＨｅＮＢ−ＧＷ１の呼制御部１０＿１と呼制御部１０＿２の機能
（６−１−１）受信機能
呼制御部１０＿１は、輻輳状態となったＭＭＥ５からＯｖｅｒｌｏａｄ  Ｓｔａｒｔメッセージを受信する。同様に、呼制御部１０＿２は、輻輳状態となったＭＭＥ６からＯｖｅｒｌｏａｄ  Ｓｔａｒｔメッセージを受信する。呼制御部１０＿１と呼制御部１０＿２が受信するＯｖｅｒｌｏａｄ  Ｓｔａｒｔメッセージは、図２に示される一般的なＯｖｅｒｌｏａｄ  Ｓｔａｒｔメッセージである。当該Ｏｖｅｒｌｏａｄ  Ｓｔａｒｔメッセージは、ＭＭＥを示すＧＵＭＭＥＩと、Ｏｖｅｒｌｏａｄ  Ｒｅｓｐｏｎｓｅと、をそれぞれ１つずつ含む。
【００４５】
（６−１−２）抽出機能
呼制御部１０＿１と呼制御部１０＿２は、受信したＯｖｅｒｌｏａｄ  ＳｔａｒｔメッセージからＧＵＭＭＥＩとＯｖｅｒｌｏａｄ  Ｒｅｓｐｏｎｓｅを抽出する。
【００４６】
（６−１−３）記憶機能
呼制御部１０＿１と呼制御部１０＿２は、抽出したＧＵＭＭＥＩとＯｖｅｒｌｏａｄ  Ｒｅｓｐｏｎｓｅを一旦、データ管理部１１（メモリ）に記憶する。但し、呼制御部１０＿１と呼制御部１０＿２は、抽出したＧＵＭＭＥＩとＯｖｅｒｌｏａｄ  Ａｃｔｉｏｎを１組のデータとして記憶する為、それらに組を示す番号（以下、「組番号」という）を付与してからデータ管理部１１（メモリ）に記憶する。
【００４７】
上述の組番号は、抽出したＧＵＭＭＥＩとＯｖｅｒｌｏａｄ  Ａｃｔｉｏｎが１組のデータであることを示す番号であり、抽出したＧＵＭＭＥＩとＯｖｅｒｌｏａｄ  Ａｃｔｉｏｎに共通する番号である。組番号は、例えば、抽出したＧＵＭＭＥＩとＯｖｅｒｌｏａｄ  Ａｃｔｉｏｎを記憶する時の時刻情報であってもよい。その場合、呼制御部１０＿１と呼制御部１０＿２は、時計機能を備え、時計機能が出力する時刻情報を組番号としてＧＵＭＭＥＩとＯｖｅｒｌｏａｄ  Ａｃｔｉｏｎに付与する。
【００４８】
（６−１−４）装置内通知機能
呼制御部１０＿１と呼制御部１０＿２は、ＧＵＭＭＥＩとＯｖｅｒｌｏａｄ  Ａｃｔｉｏｎをデータ管理部１１（メモリ）に記憶すると、動作開始を示す電気信号（以下、「動作開始信号」という）を呼制御部１０＿３に出力する。
【００４９】
（６−２）ＨｅＮＢ−ＧＷ１の呼制御部１０＿３の機能
（６−２−１）読出機能
呼制御部１０＿３は、計時機能（以下、「タイマ」という）を備える。
【００５０】
呼制御部１０＿３は、動作開始信号が入力されると、タイマを起動し、０秒から時間の計測を開始する。呼制御部１０＿１と１０＿２がＯｖｅｒｌｏａｄ  ＳｔａｒｔメッセージのＧＵＭＭＥＩとＯｖｅｒｌｏａｄ  Ｒｅｓｐｏｎｓｅをデータ管理部１１（メモリ）に記憶するのを待つ為である。
【００５１】
上述のタイマは、一般的なハードウエアタイマであってもよい。ハードウエアタイマは、マイクロ秒単位で高精度に時間を計測できる。
【００５２】
呼制御部１０＿３は、タイマにより計測される時間が所定時間（例えば１ミリ秒）になると、タイマを停止する。
【００５３】
上述の所定時間は、本実施形態のシステムの管理者によって予め呼制御部１０＿３に設定される。本実施形態のシステムの管理者は、ほぼ同時にＭＭＥ５、６から受信したと考える２つのＯｖｅｒｌｏａｄ  Ｓｔａｒｔメッセージの時間差より大きい時間を所定時間として予め呼制御部１０＿３に設定する。
【００５４】
呼制御部１０＿３は、タイマを停止すると、データ管理部１１（メモリ）に記憶されている情報を全て読み出す。
【００５５】
具体的には、呼制御部１０＿３は、組番号が付与されたＧＵＭＭＥＩと、組番号が付与されたＯｖｅｒｌｏａｄ  Ｒｅｓｐｏｎｓｅと、を全て読み出す。
【００５６】
なお、呼制御部１０＿３は、タイマ起動中に動作開始信号が入力された場合は、タイマを起動しない。呼制御部１０＿３は、所定時間になるまで時間の計測を継続する。
【００５７】
（６−２−２）メッセージ作成機能
呼制御部１０＿３は、情報を全て読み出すと、読み出した情報のうち、同じ組番号が付与されているＧＵＭＭＥＩとＯｖｅｒｌｏａｄ  Ｒｅｓｐｏｎｓｅを、図５に示されるＯｖｅｒｌｏａｄ  ＳｔａｒｔメッセージのＧＵＭＭＥＩ  Ｌｉｓｔ内に設定する。
【００５８】
図５に示されるＯｖｅｒｌｏａｄ  Ｓｔａｒｔメッセージについては、「（４）ＨｅＮＢ−ＧＷ１が用いる新しいメッセージ」で説明した通りである。呼制御部１０＿３は、同じ組番号が付与されているＧＵＭＭＥＩとＯｖｅｒｌｏａｄ  Ｒｅｓｐｏｎｓｅを、ＧＵＭＭＥＩ、Ｏｖｅｒｌｏａｄ  Ｒｅｓｐｏｎｓｅの順に図５に示されるメッセージのＧＵＭＭＥＩ  Ｌｉｓｔ内に設定する。
【００５９】
その結果、呼制御部１０＿３は、ＧＵＭＭＥＩ毎にＯｖｅｒｌｏａｄ  Ｒｅｓｐｏｎｓｅが設定されたＯｖｅｒｌｏａｄ  Ｓｔａｒｔメッセージを作成する。
【００６０】
（６−２−３）メッセージ送信機能
呼制御部１０＿３は、Ｏｖｅｒｌｏａｄ  Ｓｔａｒｔメッセージを作成すると、作成したＯｖｅｒｌｏａｄ  ＳｔａｒｔメッセージをＨｅＮＢ２、３、４に送信する。
【００６１】
（６−３）ＨｅＮＢ２、３、４の機能
次に、ＨｅＮＢ２、３、４の機能について説明を行う。ＨｅＮＢ２、３、４は同じ機能を有するので、代表してＨｅＮＢ２の機能について説明を行う。説明は、ＨｅＮＢ２の機能部毎に行う。
【００６２】
（６−３−１）抽出部１２の機能（Ｏｖｅｒｌｏａｄ  Ｓｔａｒｔメッセージ転送機能）
抽出部１２は、ＨｅＮＢ−ＧＷ１からＯｖｅｒｌｏａｄ  Ｓｔａｒｔメッセージを受信すると、受信したＯｖｅｒｌｏａｄ  ＳｔａｒｔメッセージからＧＵＭＭＥＩ  Ｌｉｓｔを抽出する。抽出部１２は、抽出したＧＵＭＭＥＩ  Ｌｉｓｔを電気信号（以下、「電気信号Ａ」という）として動作部１３に出力する。電気信号Ａは、ＧＵＭＭＥＩ  Ｌｉｓｔが含まれていることを示すパルス信号を含む。
（６−３−２）抽出部１２の機能（トラヒック転送機能）
抽出部１２は、Ｏｖｅｒｌｏａｄ  Ｓｔａｒｔメッセージ以外のトラヒックをＨｅＮＢ−ＧＷ１から受信すると、そのトラヒックを電気信号（以下、「電気信号Ｂ」という）として動作部１３に出力する。電気信号Ｂは、トラヒックが含まれていることを示すパルス信号を含む。
【００６３】
抽出部１２は、動作部１３から電気信号を受信した場合は、受信した電気信号からトラヒックを抽出し、抽出したトラヒックをＨｅＮＢ−ＧＷ１に送信する。
【００６４】
（６−３−３）動作部１３の機能（制限機能）
動作部１３は、電気信号Ａが抽出部１２から入力されると、入力された電気信号ＡからＧＵＭＭＥＩ  Ｌｉｓｔを抽出する。ＧＵＭＭＥＩ  Ｌｉｓｔには、ＧＵＭＭＥＩとＯｖｅｒｌｏａｄ  Ｒｅｓｐｏｎｓｅの組が含まれている。
【００６５】
動作部１３は、抽出したＧＵＭＭＥＩ  Ｌｉｓｔの先頭から順にＧＵＭＭＥＩとＯｖｅｒｌｏａｄ  Ｒｅｓｐｏｎｓｅの組を抽出する。動作部１３は、ＧＵＭＭＥＩとＯｖｅｒｌｏａｄ  Ｒｅｓｐｏｎｓｅの組を抽出する毎に、抽出した組のＧＵＭＭＥＩが示すＭＭＥのトラヒックについて、同じく抽出した組のＯｖｅｒｌｏａｄ  Ｒｅｓｐｏｎｓｅが示す動作を行う。
【００６６】
例えば、動作部１３は、ＭＭＥ５を示すＧＵＭＭＥＩ＃１とＯｖｅｒｌｏａｄ  Ｒｅｓｐｏｎｓｅ＃１の組を抽出したとする。その場合、動作部１３は、抽出した組のＧＵＭＭＥＩ＃１が示すＭＭＥ５のトラヒックについて、Ｏｖｅｒｌｏａｄ  Ｒｅｓｐｏｎｓｅ＃１が示す動作を行う。同様に、動作部１３は、ＭＭＥ６を示すＧＵＭＭＥＩ＃２とＯｖｅｒｌｏａｄ  Ｒｅｓｐｏｎｓｅ＃２の組を抽出した場合、抽出した組のＧＵＭＭＥＩ＃２が示すＭＭＥ６のトラヒックについて、Ｏｖｅｒｌｏａｄ  Ｒｅｓｐｏｎｓｅ＃２が示す動作を行う。
【００６７】
Ｏｖｅｒｌｏａｄ  Ｒｅｓｐｏｎｓｅが示す動作は、ＭＭＥへのトラヒックを制限する動作なので、ＨｅＮＢ２の抽出部１２は、ＭＭＥ５、６へのトラヒックを制限する動作を行う。
【００６８】
（６−３−４）動作部１３の機能（一般的な基地局機能）
さらに、ＨｅＮＢ２、３、４の動作部１３は、一般的な基地局機能を備える。具体的には、ＨｅＮＢ２、３、４の動作部１３は、一般的な端末（図示せず）と無線回線を介して接続する。ＨｅＮＢ２、３、４の動作部１３は、接続する端末からトラヒックを受信する。
【００６９】
（６−３−５）動作部１３の機能（転送機能）
ＨｅＮＢ２、３、４の動作部１３は、接続する端末からトラヒックを受信すると、そのトラヒックを電気信号として抽出部１２に出力する。
【００７０】
［動作の説明］
図９は、本発明の第１の実施の形態におけるシステムの動作を説明する為の図である。
【００７１】
以下、図９を用いて、上記機能を用いる本実施形態のシステムの動作について説明を行う。以下では、ＭＭＥ５とＭＭＥ６がほぼ同時に輻輳状態になった場合を例に説明を行う。
【００７２】
（１）ＭＭＥ５とＭＭＥ６がほぼ同時に輻輳状態になった場合の動作
（１−１）ＭＭＥ５の動作
まず、ＭＭＥ５が輻輳状態になったとする。
【００７３】
その場合、ＭＭＥ５は、図９に示されるように、Ｏｖｅｒｌｏａｄ  ＳｔａｒｔメッセージをＨｅＮＢ−ＧＷ１に送信する（Ｓ１）。
【００７４】
ＭＭＥ５から送信されたＯｖｅｒｌｏａｄ  Ｓｔａｒｔメッセージには、ＭＭＥ５を示すＧＵＭＭＥＩ（以下、「ＧＵＭＭＥＩ＃１」という）と、Ｏｖｅｒｌｏａｄ  Ｒｅｓｐｏｎｓｅ（以下、「Ｏｖｅｒｌｏａｄ  Ｒｅｓｐｏｎｓｅ＃１」という）と、が含まれる。Ｏｖｅｒｌｏａｄ  Ｒｅｓｐｏｎｓｅ＃１は、以下、ＲＲＣ（Ｒａｄｉｏ  Ｒｅｓｏｕｒｃｅ  Ｃｏｎｔｒｏｌ）コネクション確立の拒絶を示すＯｖｅｒｌｏａｄ  Ｒｅｓｐｏｎｓｅであるものとする。
【００７５】
（１−２）ＭＭＥ６の動作
続いて、ＭＭＥ６もほぼ同時に輻輳状態になったとする。
【００７６】
その場合、ＭＭＥ６も、図９に示されるように、Ｏｖｅｒｌｏａｄ  ＳｔａｒｔメッセージをＨｅＮＢ−ＧＷ１に送信する（Ｓ２）。
【００７７】
ＭＭＥ６から送信されたＯｖｅｒｌｏａｄ  Ｓｔａｒｔメッセージには、ＭＭＥ６を示すＧＵＭＭＥＩ（以下、「ＧＵＭＭＥＩ＃２」という）と、Ｏｖｅｒｌｏａｄ  Ｒｅｓｐｏｎｓｅ（以下、「Ｏｖｅｒｌｏａｄ  Ｒｅｓｐｏｎｓｅ＃２」という）と、が含まれる。Ｏｖｅｒｌｏａｄ  Ｒｅｓｐｏｎｓｅ＃２は、高優先度のセッションのみを許容することを示すＯｖｅｒｌｏａｄ  Ｒｅｓｐｏｎｓｅであるものとする。
【００７８】
（１−３）ＨｅＮＢ−ＧＷ１の呼制御部１０＿１の動作
ＨｅＮＢ−ＧＷ１の呼制御部１０＿１は、ＭＭＥ５からＯｖｅｒｌｏａｄ  Ｓｔａｒｔメッセージを受信する。
【００７９】
呼制御部１０＿１は、ＭＭＥ５からＯｖｅｒｌｏａｄ  Ｓｔａｒｔメッセージを受信すると、図９に示されるように、受信したＯｖｅｒｌｏａｄ  ＳｔａｒｔメッセージからＧＵＭＭＥＩ＃１と、Ｏｖｅｒｌｏａｄ  Ｒｅｓｐｏｎｓｅ＃１と、を抽出する（Ｓ３）。
【００８０】
次に、ＨｅＮＢ−ＧＷ１の呼制御部１０＿１は、抽出したＧＵＭＭＥＩ＃１とＯｖｅｒｌｏａｄ  Ｒｅｓｐｏｎｓｅ＃１をデータ管理部１１（メモリ）に記憶する（Ｓ４）。
【００８１】
その際、呼制御部１０＿１は、抽出したＧＵＭＭＥＩ＃１とＯｖｅｒｌｏａｄ  Ｒｅｓｐｏｎｓｅ＃１を１組のデータとして記憶する為、それらに、組を示す番号（すなわち組番号）を付与してからデータ管理部１１（メモリ）に記憶する。
【００８２】
組番号は、上述の「（６−１−３）記憶機能」で説明した通り、抽出したＧＵＭＭＥＩとＯｖｅｒｌｏａｄ  Ａｃｔｉｏｎが１組のデータであることを示す番号であり、抽出したＧＵＭＭＥＩとＯｖｅｒｌｏａｄ  Ａｃｔｉｏｎに共通する番号である。組番号は、Ｓ４を実施した時の時刻情報であってもよい。その場合、呼制御部１０＿１は、時計機能を備え、時計機能が出力する時刻情報を組番号とし、その組番号を、抽出したＧＵＭＭＥＩとＯｖｅｒｌｏａｄ  Ａｃｔｉｏｎに付与する。以下、Ｓ４で付与された組番号を、「組番号＃１」という。
【００８３】
上述のＳ４の結果、データ管理部１１（メモリ）には、組番号＃１が付与されたＧＵＭＭＥＩ＃１と、組番号＃１が付与されたＯｖｅｒｌｏａｄ  Ｒｅｓｐｏｎｓｅ＃１と、が記憶される。
【００８４】
次に、ＨｅＮＢ−ＧＷ１の呼制御部１０＿１は、動作開始を示す電気信号（以下、「動作開始信号」という）を呼制御部１０＿３に出力する（Ｓ５）。
【００８５】
（１−４）ＨｅＮＢ−ＧＷ１の呼制御部１０＿２の動作
一方、ＨｅＮＢ−ＧＷ１の呼制御部１０＿２は、ＭＭＥ６からＯｖｅｒｌｏａｄ  Ｓｔａｒｔメッセージを受信する。
【００８６】
ＨｅＮＢ−ＧＷ１の呼制御部１０＿２は、ＭＭＥ６からＯｖｅｒｌｏａｄ  Ｓｔａｒｔメッセージを受信すると、受信したＯｖｅｒｌｏａｄ  ＳｔａｒｔメッセージからＧＵＭＭＥＩ＃２と、Ｏｖｅｒｌｏａｄ  Ｒｅｓｐｏｎｓｅ＃２と、を抽出する（Ｓ６）。
【００８７】
次に、ＨｅＮＢ−ＧＷ１の呼制御部１０＿２は、抽出したＧＵＭＭＥＩ＃２とＯｖｅｒｌｏａｄ  Ｒｅｓｐｏｎｓｅ＃２をデータ管理部１１（メモリ）に記憶する（Ｓ７）。
【００８８】
その際、ＨｅＮＢ−ＧＷ１の呼制御部１０＿２は、抽出したＧＵＭＭＥＩ＃２とＯｖｅｒｌｏａｄ  Ｒｅｓｐｏｎｓｅ＃２に、各々、組番号（以下、「組番号＃２」という）を付与してからデータ管理部１１（メモリ）に記憶する。
【００８９】
上述のＳ７の結果、データ管理部１１（メモリ）には、組番号＃２が付与されたＧＵＭＭＥＩ＃２と、組番号＃２が付与されたＯｖｅｒｌｏａｄ  Ｒｅｓｐｏｎｓｅ＃２と、が記憶される。
【００９０】
次に、ＨｅＮＢ−ＧＷ１の呼制御部１０＿２は、動作開始を示す電気信号（すなわち、動作開始信号）を呼制御部１０＿３に出力する（Ｓ８）。
【００９１】
（１−５）ＨｅＮＢ−ＧＷ１の呼制御部１０＿３の動作
ＨｅＮＢ−ＧＷ１の呼制御部１０＿３には、まず、呼制御部１０＿１から動作開始信号が入力される。
【００９２】
ＨｅＮＢ−ＧＷ１の呼制御部１０＿３は、動作開始信号が入力されると、自身に備わる計時機能（以下、「タイマ」という）を起動し、０秒から時間の計測を開始する（Ｓ９）。
【００９３】
ＭＭＥ５、６からほぼ同時に送信されるＯｖｅｒｌｏａｄ  ＳｔａｒｔメッセージのＧＵＭＭＥＩとＯｖｅｒｌｏａｄ  Ｒｅｓｐｏｎｓｅが、呼制御部１０＿１と呼制御部１０＿２によって、データ管理部１１（メモリ）に記憶されるのを待つ為である。
【００９４】
上述のタイマは、一般的なハードウエアタイマであってもよい。一般的なハードウエアタイマは、マイクロ秒単位で高精度に時間を計測できる。
【００９５】
ここで、時間を計測している最中に、呼制御部１０＿２から動作開始信号が入力されたとする。その場合、呼制御部１０＿３は、タイマ起動中であり、上述のＳ９を実施しない。すなわち、呼制御部１０＿３は、時間計測中に呼制御部１０＿２から動作開始信号が入力されても、タイマを再起動しない。呼制御部１０＿３は、時間の計測を継続する。
【００９６】
次に、図示していないが、呼制御部１０＿３は、タイマにより計測される時間が所定時間（例えば１ミリ秒）になると、タイマを停止する。
【００９７】
上述の所定時間は、本実施形態のシステムの管理者によって予め呼制御部１０＿３に設定される。本実施形態のシステムの管理者は、ほぼ同時にＭＭＥ５、６から受信したと考える２つのＯｖｅｒｌｏａｄ  Ｓｔａｒｔメッセージの時間差より大きい時間を所定時間として予め呼制御部１０＿３に設定する。
【００９８】
次に、ＨｅＮＢ−ＧＷ１の呼制御部１０＿３は、タイマを停止すると、図９に示されるように、データ管理部１１（メモリ）に記憶されている情報を全て読み出す（Ｓ１０）。
【００９９】
具体的には、呼制御部１０＿３は、組番号＃１が付与されたＧＵＭＭＥＩ＃１と、組番号＃１が付与されたＯｖｅｒｌｏａｄ  Ｒｅｓｐｏｎｓｅ＃１と、を読み出す。さらに、呼制御部１０＿３は、組番号＃２が付与されたＧＵＭＭＥＩ＃２と、組番号＃２が付与されたＯｖｅｒｌｏａｄ  Ｒｅｓｐｏｎｓｅ＃２と、を読み出す。
【０１００】
次に、呼制御部１０＿３は、情報を読み出すと、読み出した情報の中で、同じ組番号が付与されているＧＵＭＭＥＩとＯｖｅｒｌｏａｄ  Ｒｅｓｐｏｎｓｅを、図５に示されるＯｖｅｒｌｏａｄ  Ｓｔａｒｔメッセージに設定する（Ｓ１１）。
【０１０１】
具体的には、呼制御部１０＿３は、同じ組番号＃１が付与されているＧＵＭＭＥＩ＃１とＯｖｅｒｌｏａｄ  Ｒｅｓｐｏｎｓｅ＃１を、図５に示されるＯｖｅｒｌｏａｄ  ＳｔａｒｔメッセージのＧＵＭＭＥＩ  Ｌｉｓｔ内に設定する。次に、呼制御部１０＿３は、同じ組番号＃２が付与されているＧＵＭＭＥＩ＃２とＯｖｅｒｌｏａｄ  Ｒｅｓｐｏｎｓｅ＃２を、図５に示されるＯｖｅｒｌｏａｄ  ＳｔａｒｔメッセージのＧＵＭＭＥＩ  Ｌｉｓｔ内に設定する。
【０１０２】
上述のＳ１１の動作により、呼制御部１０＿３は、ＧＵＭＭＥＩ毎にＯｖｅｒｌｏａｄ  Ｒｅｓｐｏｎｓｅが設定されたＯｖｅｒｌｏａｄ  Ｓｔａｒｔメッセージを作成する。
【０１０３】
次に、呼制御部１０＿３は、上述のＳ１１で作成したＯｖｅｒｌｏａｄ  ＳｔａｒｔメッセージをＨｅＮＢ２、３、４に送信する（Ｓ１２）。
【０１０４】
（１−６）ＨｅＮＢ２、３、４の動作
ＨｅＮＢ２、３、４は同じ動作を行うので、以下、代表してＨｅＮＢ２の動作を説明する。
【０１０５】
まず、上述のＳ１２の処理により、ＨｅＮＢ２の抽出部１２は、ＨｅＮＢ−ＧＷ１からＯｖｅｒｌｏａｄ  Ｓｔａｒｔメッセージを受信する。
【０１０６】
次に、ＨｅＮＢ２の抽出部１２は、ＨｅＮＢ−ＧＷ１からＯｖｅｒｌｏａｄ  Ｓｔａｒｔメッセージを受信すると、図９に示されるように、受信したＯｖｅｒｌｏａｄ  ＳｔａｒｔメッセージからＧＵＭＭＥＩ  Ｌｉｓｔを抽出する（Ｓ１３）。
【０１０７】
次に、抽出部１２は、図示していないが、抽出したＧＵＭＭＥＩ  Ｌｉｓｔを電気信号として動作部１３に出力する。動作部１３は、入力された電気信号からＧＵＭＭＥＩ  Ｌｉｓｔを抽出する。
【０１０８】
ＧＵＭＭＥＩ  Ｌｉｓｔには、先頭から順にＧＵＭＭＥＩ＃１とＯｖｅｒｌｏａｄ  Ｒｅｓｐｏｎｓｅ＃１の組、及びＧＵＭＭＥＩ＃２とＯｖｅｒｌｏａｄ  Ｒｅｓｐｏｎｓｅ＃２の組が含まれている。
【０１０９】
次に、ＨｅＮＢ２の動作部１３は、抽出したＧＵＭＭＥＩ  Ｌｉｓｔに含まれる組毎に、その組のＧＵＭＭＥＩとＯｖｅｒｌｏａｄ  Ｒｅｓｐｏｎｓｅに基づいて、ＭＭＥ５、６へのトラヒックの制限を行う（Ｓ１４）。
【０１１０】
具体的には、ＨｅＮＢ２の動作部１３は、抽出したＧＵＭＭＥＩ  Ｌｉｓｔの先頭から順にＧＵＭＭＥＩとＯｖｅｒｌｏａｄ  Ｒｅｓｐｏｎｓｅの組を抽出する。動作部１３は、ＧＵＭＭＥＩとＯｖｅｒｌｏａｄ  Ｒｅｓｐｏｎｓｅの組を抽出する毎に、抽出した組のＧＵＭＭＥＩが示すＭＭＥのトラヒックについて、同じく抽出した組のＯｖｅｒｌｏａｄ  Ｒｅｓｐｏｎｓｅが示す動作を行う。
【０１１１】
すなわち、ＨｅＮＢ２の動作部１３は、ＧＵＭＭＥＩ＃１とＯｖｅｒｌｏａｄ  Ｒｅｓｐｏｎｓｅ＃１の組を抽出すると、抽出した組のＧＵＭＭＥＩ＃１が示すＭＭＥ５のトラヒックについて、Ｏｖｅｒｌｏａｄ  Ｒｅｓｐｏｎｓｅ＃１が示す動作を行う。同様に、ＨｅＮＢ２の動作部１３は、ＧＵＭＭＥＩ＃２とＯｖｅｒｌｏａｄ  Ｒｅｓｐｏｎｓｅ＃２の組を抽出すると、抽出した組のＧＵＭＭＥＩ＃２が示すＭＭＥ６のトラヒックについて、Ｏｖｅｒｌｏａｄ  Ｒｅｓｐｏｎｓｅ＃２が示す動作を行う。
【０１１２】
Ｏｖｅｒｌｏａｄ  Ｒｅｓｐｏｎｓｅ＃１は、ＲＲＣコネクション確立の拒絶を示す情報であるので、ＨｅＮＢ２の動作部１３は、ＭＭＥ５のトラヒックについて、ＲＲＣコネクション確立を拒絶する動作を行う。具体的には、ＨｅＮＢ２の動作部１３は、ＭＭＥ５のトラヒックのうち、ＲＲＣコネクション確立に係るトラヒックについて拒絶する動作を行う。
【０１１３】
同様に、Ｏｖｅｒｌｏａｄ  Ｒｅｓｐｏｎｓｅ＃２が高優先度のセッションのみを許容することを示す情報であるので、動作部１３は、ＭＭＥ６のトラヒックについて、高優先度のセッションに係るトラヒック以外は受け付けない動作を行う。
【０１１４】
上述の各動作は、ＭＭＥ５、６へのトラヒックを制限する動作である。その為、上述のＳ１４の処理で、動作部１３は、ＭＭＥ５、６毎に、該ＭＭＥへのトラヒックを制限する。その結果、ＭＭＥ５、６へのトラヒックが少なくなり、ＭＭＥ５、６の輻輳状態が解消する。なお、上述の「拒絶する動作」とは、拒否する動作、すなわち、受信しない動作を意味する。上述の「受信しない動作」とは、破棄する動作であってもよい。
【０１１５】
上述に説明した通り、ＨｅＮＢ−ＧＷ１は、Ｓ３〜Ｓ１２の処理により、ＧＵＭＭＥＩ毎にＯｖｅｒｌｏａｄ  Ｒｅｓｐｏｎｓｅを含む、１つのＯｖｅｒｌｏａｄ  ＳｔａｒｔメッセージをＨｅＮＢ２に送信する。それにより、ＨｅＮＢ−ＧＷ１は、ＭＭＥ５、６毎に異なる動作をＨｅＮＢ２に行わせ、ＭＭＥ５、６の輻輳状態を解消することができる。すなわち、ＨｅＮＢ−ＧＷ１は、１つのＯｖｅｒｌｏａｄ  Ｓｔａｒｔメッセージで、ＭＭＥ毎に異なる輻輳制御を行うことができる。
【０１１６】
本実施形態のシステムは、以下の「（２）バリエーション動作」および「（３）バリエーション動作」で説明する動作を行ってもよい。本実施形態のシステムは、以下の「（４）他の構成例」で説明する動作を行ってもよい。
【０１１７】
以下の「（２）バリエーション動作」では、上述の［動作の説明］で説明した、トラヒックを制限する動作を解除する動作について説明する。以下の「（３）バリエーション動作」では、上述の［動作の説明］で説明した所定時間の値が０である場合の動作について説明する。以下の「（４）他の構成例」では、本実施形態のシステムの他の構成例について記載する。
【０１１８】
（２）バリエーション動作（トラヒックを制限する動作を解除する動作）
上記では、トラヒックを制限する動作について説明を行ったが、以下では、その動作を解除する動作について説明する。図１０は、本発明の第１の実施の形態におけるシステムの動作（トラヒックを制限する動作を解除する動作）を説明する為の図である。
【０１１９】
（２−１）Ｏｖｅｒｌｏａｄ  Ｓｔｏｐメッセージについて
まず、ＭＭＥ５、６は、３ＧＰＰの規定に従って動作しており、輻輳状態が解消した場合には、Ｏｖｅｒｌｏａｄ  Ｓｔｏｐメッセージを送信するものとする。
【０１２０】
Ｏｖｅｒｌｏａｄ  Ｓｔｏｐメッセージは、輻輳状態が解消されたことを示すメッセージである。Ｏｖｅｒｌｏａｄ  Ｓｔｏｐメッセージには、ＭＭＥを示すＧＵＭＭＥＩが含まれる。
【０１２１】
（２−２）ＭＭＥ５の輻輳状態が解消した場合
以下、ＭＭＥ５の輻輳状態が解消したとする。
【０１２２】
その場合、ＭＭＥ５は、図１０に示されるように、Ｏｖｅｒｌｏａｄ  ＳｔｏｐメッセージをＨｅＮＢ−ＧＷ１に送信する（Ｓ２０）。
【０１２３】
Ｏｖｅｒｌｏａｄ  Ｓｔｏｐメッセージには、ＭＭＥ５を示すＧＵＭＭＥＩ＃１が含まれている。
【０１２４】
次に、ＨｅＮＢ−ＧＷ１の呼制御部１０＿１は、Ｏｖｅｒｌｏａｄ  Ｓｔｏｐメッセージを受信すると、受信したＯｖｅｒｌｏａｄ  ＳｔｏｐメッセージからＧＵＭＭＥＩ＃１を抽出する（Ｓ２１）。
【０１２５】
次に、呼制御部１０＿１は、抽出したＧＵＭＭＥＩ＃１に係る情報をデータ管理部１１（メモリ）から削除する（Ｓ２２）。
【０１２６】
具体的には、呼制御部１０＿１は、抽出したＧＵＭＭＥＩ＃１を含む組番号＃１が付与されたＧＵＭＭＥＩ＃１と、該ＧＵＭＭＥＩ＃１と同様に組番号＃１が付与されたＯｖｅｒｌｏａｄ  Ｒｅｓｐｏｎｓｅ＃１と、をデータ管理部１１（メモリ）から削除する。
【０１２７】
次に、呼制御部１０＿１は、受信したＯｖｅｒｌｏａｄ  Ｓｔｏｐメッセージを電気信号（以下、「電気信号Ｃ」という）として呼制御部１０＿３に出力する（Ｓ２３）。電気信号Ｃは、Ｏｖｅｒｌｏａｄ  Ｓｔｏｐメッセージを示すパルス信号を含む電気信号である。
【０１２８】
次に、図示していないが、ＨｅＮＢ−ＧＷ１の呼制御部１０＿３は、電気信号Ｃを受信すると、受信した電気信号ＣからＯｖｅｒｌｏａｄ  Ｓｔｏｐメッセージを抽出する。
【０１２９】
次に、ＨｅＮＢ−ＧＷ１の呼制御部１０＿３は、図１０に示されるように、抽出したＯｖｅｒｌｏａｄ  ＳｔｏｐメッセージをＨｅＮＢ２、３、４に送信する（Ｓ２４）。
【０１３０】
次に、ＨｅＮＢ２、３、４は、Ｏｖｅｒｌｏａｄ  Ｓｔｏｐメッセージを受信すると、受信したメッセージからＧＵＭＭＥＩ＃１を抽出する（Ｓ２５）。
【０１３１】
次に、ＨｅＮＢ２、３、４は、抽出したＧＵＭＭＥＩ＃１が示すＭＭＥ５のトラヒックを制限する動作を解除する（Ｓ２６）。
【０１３２】
具体的には、ＨｅＮＢ２、３、４は、抽出したＧＵＭＭＥＩ＃１が示すＭＭＥ５のトラヒックについて行っている、ＲＲＣコネクション確立(に係るトラヒック)を拒絶する動作を停止する。ＨｅＮＢ２、３、４は、ＭＭＥ５のトラヒックを全て受信する。すなわち、ＨｅＮＢ２、３、４は、Ｓ１３、Ｓ１４を行う前の状態に戻る。
【０１３３】
ＨｅＮＢ−ＧＷ１は、上述のＳ２１〜Ｓ２４の処理を行うことで、ＨｅＮＢ２、３、４に上述のＳ２５、Ｓ２６の処理を行わせ、ＭＭＥ５のトラヒックを制限する動作を解除することができる。
【０１３４】
（２−３）ＭＭＥ６の輻輳状態が解消した場合
次に、ＭＭＥ６の輻輳状態が解消したとする。この場合、ＨｅＮＢ−ＧＷ１とＨｅＮＢ２、３、４は、上述の「（２−２）ＭＭＥ５の輻輳状態が解消した場合」で説明した動作と同じ動作を行う。異なるのは、処理する機能部が呼制御部１０＿１ではなく呼制御部１０＿２である点、使用するＧＵＭＭＥＩ＃１がＧＵＭＭＥＩ＃２である点である。
【０１３５】
詳細は以下の通りである。
【０１３６】
まず、ＭＭＥ６は、自身の輻輳状態が解消した場合は、図１０に示されるように、Ｏｖｅｒｌｏａｄ  ＳｔｏｐメッセージをＨｅＮＢ−ＧＷ１に送信する（Ｓ２７）。
【０１３７】
Ｏｖｅｒｌｏａｄ  Ｓｔｏｐメッセージには、ＭＭＥ６を示すＧＵＭＭＥＩ＃２が含まれている。
【０１３８】
次に、ＨｅＮＢ−ＧＷ１の呼制御部１０＿２は、Ｏｖｅｒｌｏａｄ  Ｓｔｏｐメッセージを受信すると、受信したＯｖｅｒｌｏａｄ  ＳｔｏｐメッセージからＧＵＭＭＥＩ＃２を抽出する（Ｓ２８）。
【０１３９】
次に、呼制御部１０＿２は、抽出したＧＵＭＭＥＩ＃２に係る情報をデータ管理部１１（メモリ）から削除する（Ｓ２９）。
【０１４０】
具体的には、呼制御部１０＿２は、抽出したＧＵＭＭＥＩ＃２を含む組番号＃２が付与されたＧＵＭＭＥＩ＃２と、該ＧＵＭＭＥＩ＃２と同様に組番号＃２が付与されたＯｖｅｒｌｏａｄ  Ｒｅｓｐｏｎｓｅ＃２と、をデータ管理部１１（メモリ）から削除する。
【０１４１】
次に、呼制御部１０＿２は、受信したＯｖｅｒｌｏａｄ  Ｓｔｏｐメッセージを電気信号Ｃとして呼制御部１０＿３に出力する（Ｓ３０）。
【０１４２】
次に、図示していないが、ＨｅＮＢ−ＧＷ１の呼制御部１０＿３は、電気信号Ｃを受信すると、受信した電気信号ＣからＯｖｅｒｌｏａｄ  Ｓｔｏｐメッセージを抽出する。
【０１４３】
次に、ＨｅＮＢ−ＧＷ１の呼制御部１０＿３は、図１０に示されるように、抽出したＯｖｅｒｌｏａｄ  ＳｔｏｐメッセージをＨｅＮＢ２、３、４に送信する（Ｓ３１）。
【０１４４】
次に、ＨｅＮＢ２、３、４は、Ｏｖｅｒｌｏａｄ  Ｓｔｏｐメッセージを受信すると、受信したメッセージからＧＵＭＭＥＩ＃２を抽出する（Ｓ３２）。
【０１４５】
次に、ＨｅＮＢ２、３、４は、抽出したＧＵＭＭＥＩ＃２が示すＭＭＥ６のトラヒックを制限する動作を解除する（Ｓ３３）。
【０１４６】
具体的には、ＨｅＮＢ２、３、４は、抽出したＧＵＭＭＥＩ＃２が示すＭＭＥ６のトラヒックについて行っている、高優先度のセッションに係るトラヒック以外は受け付けない動作を停止する。ＨｅＮＢ２、３、４は、ＭＭＥ６のトラヒックを全て受信する。すなわち、ＨｅＮＢ２、３、４は、Ｓ１３、Ｓ１４を行う前の状態に戻る。
【０１４７】
ＨｅＮＢ−ＧＷ１は、上述のＳ２８〜Ｓ３１の処理を行うことで、ＨｅＮＢ２、３、４に上述のＳ３２、Ｓ３３の処理を行わせ、ＭＭＥ６のトラヒックを制限する動作を解除することができる。
【０１４８】
（３）バリエーション動作（所定時間を０にした場合の動作）
上記では、所定時間（例えば１ミリ秒）が、本実施形態のシステムの管理者によって予め呼制御部１０＿３に設定された。本実施形態のシステムの管理者は、所定時間として０秒を設定してもよい。
【０１４９】
その場合、ＨｅＮＢ−ＧＷ１の呼制御部１０＿３は、動作開始信号が入力されると、上述のＳ９の処理を実施することなく、その次のＳ１０〜Ｓ１２の処理を行う。
【０１５０】
すなわち、ＨｅＮＢ−ＧＷ１の呼制御部１０＿３は、呼制御部１０＿１と呼制御部１０＿２によりＯｖｅｒｌｏａｄ  Ｒｅｓｐｏｎｓｅ等がデータ管理部１１（メモリ）に記憶されるのを待たない。その為、ＨｅＮＢ−ＧＷ１は、ＭＭＥ５からＯｖｅｒｌｏａｄ  Ｓｔａｒｔメッセージを受信すると、ＧＵＭＭＥＩ＃１とＯｖｅｒｌｏａｄ  Ｒｅｓｐｏｎｓｅ＃１を含むＯｖｅｒｌｏａｄ  Ｓｔａｒｔメッセージを送信する。さらに、ＨｅＮＢ−ＧＷ１は、ＭＭＥ６からＯｖｅｒｌｏａｄ  Ｓｔａｒｔメッセージを受信すると、ＧＵＭＭＥＩ＃２とＯｖｅｒｌｏａｄ  Ｒｅｓｐｏｎｓｅ＃２を含むＯｖｅｒｌｏａｄ  Ｓｔａｒｔメッセージを送信する。
【０１５１】
ＨｅＮＢ−ＧＷ１の呼制御部１０＿３は、Ｏｖｅｒｌｏａｄ  Ｓｔａｒｔメッセージを２度送信することになるが、ＭＭＥ５、６から通知されたＧＵＭＭＥＩとＯｖｅｒｌｏａｄ  Ｒｅｓｐｏｎｓｅを速やかにＨｅＮＢ２、３、４に送信することができる。
【０１５２】
（４）他の構成例
上記では、ＨｅＮＢ−ＧＷ１は、３台のＨｅＮＢ２、３、４と、２台のＭＭＥ５、６と、に接続されたが、これに限らない。
【０１５３】
すなわち、ＨｅＮＢ−ＧＷ１は、１台のＨｅＮＢに接続されてもよいし、２台のＨｅＮＢに接続されてもよい。ＨｅＮＢ−ＧＷ１は、４台以上のＨｅＮＢに接続されてもよい。その場合、ＨｅＮＢ−ＧＷ１は、上述のＳ１２において、接続されたＨｅＮＢそれぞれに、Ｏｖｅｒｌｏａｄ  Ｓｔａｒｔメッセージを送信する。また、ＨｅＮＢ−ＧＷ１は、上述のＳ２４、Ｓ３１において、接続されたＨｅＮＢそれぞれに、Ｏｖｅｒｌｏａｄ  Ｓｔｏｐメッセージを送信する。
【０１５４】
また、ＨｅＮＢ−ＧＷ１は、３台以上のＭＭＥに接続されてもよい。その場合、ＨｅＮＢ−ＧＷ１は、各ＭＭＥに接続する呼制御部を備える。各呼制御部は、データ管理部１１（メモリ）に接続する。各呼制御部は、それぞれ呼制御部１０＿１と同じ動作を行う。
【０１５５】
［効果の説明］
本実施形態によれば、ＨｅＮＢ−ＧＷは、１つのＯｖｅｒｌｏａｄ  Ｓｔａｒｔメッセージで、ＭＭＥ毎に異なる輻輳制御を行うことができる。
【０１５６】
なぜなら、ＨｅＮＢ−ＧＷは、ＧＵＭＭＥＩ毎（ＭＭＥ毎）にＯｖｅｒｌｏａｄ  Ｒｅｓｐｏｎｓｅを１つのメッセージに設定してＨｅＮＢに送信し、ＨｅＮＢに、そのメッセージに基づいてＭＭＥ毎にトラヒックを制限する動作を実施させるからである。
【０１５７】
≪第２の実施の形態≫
次に、本発明の第２の実施の形態について説明する。図１１は、本発明の第２の実施の形態におけるシステムが使用するＯｖｅｒｌｏａｄ  Ｓｔａｒｔメッセージの構成例を示す図である。
【０１５８】
［概要］
第２の実施形態のシステムのＨｅＮＢ−ＧＷは、図１１に示されるＯｖｅｒｌｏａｄ  Ｓｔａｒｔメッセージを用い、ＧＵＭＭＥＩ毎（ＭＭＥ毎）にＴｒａｆｆｉｃ  Ｌｏａｄ  Ｒｅｄｕｃｔｉｏｎ  ＩｎｄｉｃａｔｉｏｎをＨｅＮＢに送信する。Ｔｒａｆｆｉｃ  Ｌｏａｄ  Ｒｅｄｕｃｔｉｏｎ  Ｉｎｄｉｃａｔｉｏｎは、着信規制率を示す情報要素である。ＨｅＮＢは、当該情報要素を用いて、ＭＭＥ毎に着信規制を行う。その結果、第２の実施形態のシステムのＨｅＮＢ−ＧＷは、１つのＯｖｅｒｌｏａｄ  Ｓｔａｒｔメッセージで、ＭＭＥ毎に着信規制による輻輳制御を行うことができる。
【０１５９】
以下に、第２の実施の形態のシステムの構成と動作について説明する。
【０１６０】
［構成の説明］
図１２は、本発明の第２の実施の形態におけるシステムの構成例を示す図である。図１３は、本発明の第２の実施の形態におけるシステムに備わるＨｅＮＢ−ＧＷ２１の構成例を示す図である。図１４は、本発明の第２の実施の形態におけるシステムに備わるＨｅＮＢ２２の構成例を示す図である。
【０１６１】
（１）第２の実施形態のシステムの構成
第２の実施形態のシステムは、図１２に示されるように、ＨｅＮＢ−ＧＷ２１と、ＨｅＮＢ２２、２３、２４と、ＭＭＥ２５、２６と、を備える。
【０１６２】
ＨｅＮＢ−ＧＷ２１は、図１３に示されるように、呼制御部１０＿１〜１０＿３の代わりに、呼制御部２１０＿１〜２１０＿３を備える。
【０１６３】
ＨｅＮＢ２２は、図１４に示されるように、動作部１３の代わりに、動作部２１３を備える。ＨｅＮＢ２３とＨｅＮＢ２４は、ＨｅＮＢ２２と同じ構成であり、図示していないが、動作部１３の代わりに、動作部２１３を備える。
【０１６４】
（２）ＭＭＥ２５、２６の機能について
ＭＭＥ２５、２６は、輻輳状態となると、３ＧＰＰの規定に従い、Ｏｖｅｒｌｏａｄ  Ｓｔａｒｔメッセージを送信する。その際、ＭＭＥ２５、２６は、Ｏｖｅｒｌｏａｄ  ＳｔａｒｔメッセージにＴｒａｆｆｉｃ  Ｌｏａｄ  Ｒｅｄｕｃｔｉｏｎ  Ｉｎｄｉｃａｔｉｏｎを含めて送信する。
【０１６５】
Ｔｒａｆｆｉｃ  Ｌｏａｄ  Ｒｅｄｕｃｔｉｏｎ  Ｉｎｄｉｃａｔｉｏｎは、着信規制率、すなわち、着信するトラヒックの何パーセントをＨｅＮＢが拒絶するかを示す情報要素である。値が１０のＴｒａｆｆｉｃ  Ｌｏａｄ  Ｒｅｄｕｃｔｉｏｎ  Ｉｎｄｉｃａｔｉｏｎは、着信するトラヒックのうち、１０パーセントのトラヒックをＨｅＮＢが拒絶することを示す。Ｔｒａｆｆｉｃ  Ｌｏａｄ  Ｒｅｄｕｃｔｉｏｎ  Ｉｎｄｉｃａｔｉｏｎは、拒絶するトラヒックの割合を示す情報要素である。上述の「拒絶する」とは、受信を拒否することを意味する。「受信を拒否する」とは、受信したトラヒックについて破棄することであってもよい。
【０１６６】
（３）ＨｅＮＢ−ＧＷ２１の機能（呼制御部２１０＿１、２１０＿２の機能）
ＨｅＮＢ−ＧＷ２１の呼制御部２１０＿１と呼制御部２１０＿２は、以下の機能を備える。上述のＴｒａｆｆｉｃ  Ｌｏａｄ  Ｒｅｄｕｃｔｉｏｎ  Ｉｎｄｉｃａｔｉｏｎは、以下、「Ｒｅｄｕｃｔｉｏｎ  Ｉｎｄｉｃａｔｉｏｎ」というものとする。
【０１６７】
（３−１）抽出機能（呼制御部２１０＿１、２１０＿２の機能）
呼制御部２１０＿１と呼制御部２１０＿２は、受信したＯｖｅｒｌｏａｄ  Ｓｔａｒｔメッセージから、ＧＵＭＭＥＩ、Ｏｖｅｒｌｏａｄ  Ｒｅｓｐｏｎｓｅ、及びＲｅｄｕｃｔｉｏｎ  Ｉｎｄｉｃａｔｉｏｎを抽出する。
【０１６８】
（３−２）記憶機能（呼制御部２１０＿１、２１０＿２の機能）
呼制御部２１０＿１と呼制御部２１０＿２は、抽出したＧＵＭＭＥＩ、Ｏｖｅｒｌｏａｄ  Ｒｅｓｐｏｎｓｅ、及びＲｅｄｕｃｔｉｏｎ  Ｉｎｄｉｃａｔｉｏｎをデータ管理部１１（メモリ）に記憶する。記憶の際、呼制御部２１０＿１と呼制御部２１０＿２は、抽出した情報各々に組番号を付与してからデータ管理部１１（メモリ）に記憶する。抽出した情報を１組のデータとして記憶する為である。
【０１６９】
（３−３）読出機能（呼制御部２１０＿３の機能）
呼制御部２１０＿３は、タイマ停止後、データ管理部１１（メモリ）に記憶されている情報（組番号が付与されたＧＵＭＭＥＩ、Ｏｖｅｒｌｏａｄ  Ｒｅｓｐｏｎｓｅ、及びＲｅｄｕｃｔｉｏｎ  Ｉｎｄｉｃａｔｉｏｎ）を全て読み出す。
【０１７０】
（３−４）メッセージ作成機能（呼制御部２１０＿３の機能）
呼制御部２１０＿３は、読み出した情報の中で、同じ組番号が付与されているＧＵＭＭＥＩ、Ｏｖｅｒｌｏａｄ  Ｒｅｓｐｏｎｓｅ及びＲｅｄｕｃｔｉｏｎ  ＩｎｄｉｃａｔｉｏｎをＯｖｅｒｌｏａｄ  ＳｔａｒｔメッセージのＧＵＭＭＥＩ  Ｌｉｓｔに設定する。
【０１７１】
（４）ＨｅＮＢ２２、２３、２４の機能
ＨｅＮＢ２２、２３、２４の動作部２１３は、抽出したＧＵＭＭＥＩ  Ｌｉｓｔの先頭から順にＧＵＭＭＥＩ、Ｏｖｅｒｌｏａｄ  Ｒｅｓｐｏｎｓｅ、及びＲｅｄｕｃｔｉｏｎ  Ｉｎｄｉｃａｔｉｏｎの組を抽出する。動作部２１３は、抽出した組毎に、該組のＲｅｄｕｃｔｉｏｎ  Ｉｎｄｉｃａｔｉｏｎに基づいて着信規制を行う。着信規制の具体的な手順は、後述の［動作の説明］で詳細に説明する。
【０１７２】
上述した以外の構成及び機能は、第１の実施形態におけるシステムと同じであるので、同一の符号を付して説明を省略する。
【０１７３】
［動作の説明］
本実施形態のシステムの動作を説明する。図１５は、本発明の第２の実施の形態におけるシステムの動作を説明する為の図である。図１５を用いて、本実施形態のシステムの動作を以下に説明する。
【０１７４】
（１）ＭＭＥ２５、２６の動作
まず、ＭＭＥ２５、２６がほぼ同時に輻輳状態になったとする。その場合、輻輳状態となったＭＭＥ２５、２６は、各々、Ｏｖｅｒｌｏａｄ  ＳｔａｒｔメッセージをＨｅＮＢ−ＧＷ２１に送信する（Ｓ４０、Ｓ４１）。
【０１７５】
この時、ＭＭＥ２５、２６は、Ｏｖｅｒｌｏａｄ  ＳｔａｒｔメッセージにＴｒａｆｆｉｃ  Ｌｏａｄ  Ｒｅｄｕｃｔｉｏｎ  Ｉｎｄｉｃａｔｉｏｎを含めて送信する。
【０１７６】
Ｔｒａｆｆｉｃ  Ｌｏａｄ  Ｒｅｄｕｃｔｉｏｎ  Ｉｎｄｉｃａｔｉｏｎ(以下、「Ｒｅｄｕｃｔｉｏｎ  Ｉｎｄｉｃａｔｉｏｎ」という)は、着信するトラヒックのうち、何パーセントをＨｅＮＢが拒絶するかを示す情報要素である。
【０１７７】
ＭＭＥ２５から送信されたＯｖｅｒｌｏａｄ  Ｓｔａｒｔメッセージに含まれるＲｅｄｕｃｔｉｏｎ  Ｉｎｄｉｃａｔｉｏｎは、以下、「Ｒｅｄｕｃｔｉｏｎ  Ｉｎｄｉｃａｔｉｏｎ＃１」という。同様に、ＭＭＥ２６から送信されたＯｖｅｒｌｏａｄ  Ｓｔａｒｔメッセージに含まれるＲｅｄｕｃｔｉｏｎ  Ｉｎｄｉｃａｔｉｏｎを、以下、「Ｒｅｄｕｃｔｉｏｎ  Ｉｎｄｉｃａｔｉｏｎ＃２」という。
【０１７８】
（２）ＨｅＮＢ−ＧＷ２１の動作（呼制御部２１０＿１の動作）
ＨｅＮＢ−ＧＷ２１の呼制御部２１０＿１は、ＭＭＥ２５からＯｖｅｒｌｏａｄ  Ｓｔａｒｔメッセージから受信する。
【０１７９】
呼制御部２１０＿１は、受信したＯｖｅｒｌｏａｄ  Ｓｔａｒｔメッセージから、ＧＵＭＭＥＩ＃１、Ｏｖｅｒｌｏａｄ  Ｒｅｓｐｏｎｓｅ＃１、及びＲｅｄｕｃｔｉｏｎ  Ｉｎｄｉｃａｔｉｏｎ＃１を抽出する（Ｓ４３）。
【０１８０】
次に、呼制御部２１０＿１は、抽出したＧＵＭＭＥＩ＃１、Ｏｖｅｒｌｏａｄ  Ｒｅｓｐｏｎｓｅ＃１、及びＲｅｄｕｃｔｉｏｎ  Ｉｎｄｉｃａｔｉｏｎ＃１をデータ管理部１１（メモリ）に記憶する（Ｓ４４）。
【０１８１】
その際、呼制御部２１０＿１は、抽出した情報を１組のデータとして記憶する為、それらに組番号（以下、「組番号＃１」という）を付与してからデータ管理部１１（メモリ）に記憶する。
【０１８２】
（３）ＨｅＮＢ−ＧＷ２１の動作（呼制御部２１０＿２の動作）
ＨｅＮＢ−ＧＷ２１の呼制御部２１０＿２は、ＭＭＥ２６からＯｖｅｒｌｏａｄ  Ｓｔａｒｔメッセージから受信する。
【０１８３】
ＨｅＮＢ−ＧＷ２１の呼制御部２１０＿２は、呼制御部２１０＿１と同じ処理を行う。
【０１８４】
すなわち、ＨｅＮＢ−ＧＷ２１の呼制御部２１０＿２は、受信したＯｖｅｒｌｏａｄ  Ｓｔａｒｔメッセージから、ＧＵＭＭＥＩ＃２、Ｏｖｅｒｌｏａｄ  Ｒｅｓｐｏｎｓｅ＃２、及びＲｅｄｕｃｔｉｏｎ  Ｉｎｄｉｃａｔｉｏｎ＃２を抽出する（Ｓ４５）。
【０１８５】
次に、呼制御部２１０＿２は、抽出したＧＵＭＭＥＩ＃２、Ｏｖｅｒｌｏａｄ  Ｒｅｓｐｏｎｓｅ＃２、及びＲｅｄｕｃｔｉｏｎ  Ｉｎｄｉｃａｔｉｏｎ＃２をデータ管理部１１（メモリ）に記憶する（Ｓ４６）。
【０１８６】
その際、呼制御部２１０＿２は、抽出した情報を１組のデータとして記憶する為、それらに組番号（以下、「組番号＃２」という）を付与してからデータ管理部１１（メモリ）に記憶する。
【０１８７】
（４）ＨｅＮＢ−ＧＷ２１の動作（呼制御部２１０＿３の動作）
次に、呼制御部２１０＿３は、上述のＳ９の処理を行い、さらに、タイマを停止すると、データ管理部１１（メモリ）に記憶されている情報を全て読み出す（Ｓ４７）。
【０１８８】
読み出される情報は、ＧＵＭＭＥＩ＃１、Ｏｖｅｒｌｏａｄ  Ｒｅｓｐｏｎｓｅ＃１、及びＲｅｄｕｃｔｉｏｎ  Ｉｎｄｉｃａｔｉｏｎ＃１の組と、ＧＵＭＭＥＩ＃２、Ｏｖｅｒｌｏａｄ  Ｒｅｓｐｏｎｓｅ＃２、及びＩｎｄｉｃａｔｉｏｎ＃２の組である。Ｉｎｄｉｃａｔｉｏｎ＃２は、Ｒｅｄｕｃｔｉｏｎ  Ｉｎｄｉｃａｔｉｏｎ＃２のことである。ＧＵＭＭＥＩ＃１、Ｏｖｅｒｌｏａｄ  Ｒｅｓｐｏｎｓｅ＃１、及びＲｅｄｕｃｔｉｏｎ  Ｉｎｄｉｃａｔｉｏｎ＃１には、それぞれ組番号＃１が付与されている。同様に、ＧＵＭＭＥＩ＃２、Ｏｖｅｒｌｏａｄ  Ｒｅｓｐｏｎｓｅ＃２、及びＲｅｄｕｃｔｉｏｎ  Ｉｎｄｉｃａｔｉｏｎ＃２にも、それぞれ組番号＃２が付与されている。
【０１８９】
呼制御部２１０＿３は、読み出した情報の中で、同じ組番号が付与されているＧＵＭＭＥＩ、Ｏｖｅｒｌｏａｄ  Ｒｅｓｐｏｎｓｅ及びＲｅｄｕｃｔｉｏｎ  Ｉｎｄｉｃａｔｉｏｎを図１１に示すＯｖｅｒｌｏａｄ  Ｓｔａｒｔメッセージに設定する（Ｓ４８）。
【０１９０】
具体的には、呼制御部２１０＿３は、組番号＃１が付与されているＧＵＭＭＥＩ＃１、Ｏｖｅｒｌｏａｄ  Ｒｅｓｐｏｎｓｅ＃１、及びＲｅｄｕｃｔｉｏｎ  Ｉｎｄｉｃａｔｉｏｎ＃１を、図１１に示すメッセージのＧＵＭＭＥＩ  Ｌｉｓｔ内に設定する。さらに、呼制御部２１０＿３は、組番号＃２が付与されているＧＵＭＭＥＩ＃２、Ｏｖｅｒｌｏａｄ  Ｒｅｓｐｏｎｓｅ＃２、及びＲｅｄｕｃｔｉｏｎ  Ｉｎｄｉｃａｔｉｏｎ＃２を、図１１に示すメッセージのＧＵＭＭＥＩ  Ｌｉｓｔ内に設定する。
【０１９１】
上述のＳ４８の動作により、呼制御部２１０＿３は、ＧＵＭＭＥＩ毎にＯｖｅｒｌｏａｄ  ＲｅｓｐｏｎｓｅとＲｅｄｕｃｔｉｏｎ  Ｉｎｄｉｃａｔｉｏｎを含む１つのＯｖｅｒｌｏａｄ  Ｓｔａｒｔメッセージを作成する。
【０１９２】
次に、呼制御部２１０＿３は、作成したＯｖｅｒｌｏａｄ  ＳｔａｒｔメッセージをＨｅＮＢ２２、２３、２４に送信する（Ｓ１２）。
【０１９３】
（５）ＨｅＮＢ２２、２３、２４の動作
ＨｅＮＢ２２、２３、２４は同じ動作を行うので、代表してＨｅＮＢ２２の動作について説明する。
【０１９４】
まず、ＨｅＮＢ２２は、上述のＳ１２の処理によりＯｖｅｒｌｏａｄ  Ｓｔａｒｔメッセージを受信する。
【０１９５】
ＨｅＮＢ２２は、Ｏｖｅｒｌｏａｄ  Ｓｔａｒｔメッセージを受信すると、受信したＯｖｅｒｌｏａｄ  ＳｔａｒｔメッセージからＧＵＭＭＥＩ  Ｌｉｓｔを抽出する（Ｓ１３）。
【０１９６】
次に、図示していないが、ＨｅＮＢ２２の動作部２１３は、Ｓ１３で抽出したＧＵＭＭＥＩ  Ｌｉｓｔの先頭からＧＵＭＭＥＩ、Ｏｖｅｒｌｏａｄ  Ｒｅｓｐｏｎｓｅ及びＲｅｄｕｃｔｉｏｎ  Ｉｎｄｉｃａｔｉｏｎの組を順に抽出する。
【０１９７】
具体的には、動作部２１３は、ＧＵＭＭＥＩ＃１、Ｏｖｅｒｌｏａｄ  Ｒｅｓｐｏｎｓｅ＃１、Ｒｅｄｕｃｔｉｏｎ  Ｉｎｄｉｃａｔｉｏｎ＃１の組を抽出する。さらに、動作部２１３は、ＧＵＭＭＥＩ＃２、Ｏｖｅｒｌｏａｄ  Ｒｅｓｐｏｎｓｅ＃２、Ｒｅｄｕｃｔｉｏｎ  Ｉｎｄｉｃａｔｉｏｎ＃２の組を抽出する。
【０１９８】
次に、動作部２１３は、抽出した組毎に、該組（以下、「該当する組」という）のＧＵＭＭＥＩが示すＭＭＥのトラヒックについて着信規制を行う（Ｓ４９）。
【０１９９】
その際、動作部２１３は、該当する組のＲｅｄｕｃｔｉｏｎ  Ｉｎｄｉｃａｔｉｏｎが示す割合で着信規制を行う。
【０２００】
具体的には、動作部２１３は、受信するＧＵＭＭＥＩ＃１が示すＭＭＥ２５のトラヒックについて、そのトラヒックをＲｅｄｕｃｔｉｏｎ  Ｉｎｄｉｃａｔｉｏｎ＃１が示す割合で破棄する着信規制を行う。また、動作部２１３は、受信するＧＵＭＭＥＩ＃２が示すＭＭＥ２６のトラヒックについて、そのトラヒックをＲｅｄｕｃｔｉｏｎ  Ｉｎｄｉｃａｔｉｏｎ＃２が示す割合で破棄する着信規制を行う。
【０２０１】
Ｒｅｄｕｃｔｉｏｎ  Ｉｎｄｉｃａｔｉｏｎ＃１の値が１０だったとすると、動作部２１３は、受信するＧＵＭＭＥＩ＃１が示すＭＭＥ２５のトラヒックについて、そのトラヒックの１０％を破棄する着信規制を行う。動作部２１３は、上述の「（６−３−４）動作部１３の機能」で説明した通り、接続する端末（図示せず）からトラヒックを受信する。
【０２０２】
上述のＳ４９の処理は、以下の（Ｉ）〜（Ｘ）の処理により実現されてもよい。その場合、動作部２１３は、一般的なアプリケーションで実現され、初期値が０のカウンタを備えるものとする。また、一般的なアプリケーションで実現される動作部２１３は、動的に配列［１］〜［１００］を生成できるものとする。配列［１］〜［１００］の初期値は０である。
【０２０３】
（６）上述のＳ４９の処理を実現する処理
まず、動作部２１３は、抽出した組毎に、以下の（Ｉ）〜（Ｘ）の処理を並行して実施する。
【０２０４】
（Ｉ）まず、動作部２１３は、配列［１］〜［１００］を生成する。
【０２０５】
（ＩＩ）次に、動作部２１３は、該当する組のＲｅｄｕｃｔｉｏｎ  Ｉｎｄｉｃａｔｉｏｎが示す値（例えば１０）個の配列を、配列［１］〜［１００］の中からランダムに選択する。
【０２０６】
例えば、動作部２１３は、配列［１］、配列［１１］、配列［２４］、配列［４０］、配列［４１］、配列［５４］、配列［７６］、配列［７９］、配列［８０］、配列［９６］の１０個を選択してもよい。
【０２０７】
（ＩＩＩ）次に、動作部２１３は、選択した配列の値を１とする。
【０２０８】
配列の添字の番号は、何番目に受信するトラヒックかを示す番号である。動作部２１３は、上述の（Ｉ）〜（ＩＩＩ）の処理により、何番目に受信するトラヒックを、拒絶するトラヒックとするか決定する。
【０２０９】
（ＩＶ）その後、動作部２１３は、接続する端末（図示せず）から、抽出した組のＧＵＭＭＥＩが示すＭＭＥのトラヒックを受信すると、自身に備わるカウンタの値を１つインクリメントする。
【０２１０】
上述の（ＩＶ）の処理は、受信したトラヒックが何番目のトラヒックかカウントする処理である。
【０２１１】
（Ｖ）次に、動作部２１３は、インクリメントしたカウンタの値を添字とする配列の値が値１か否かを判別する。
【０２１２】
上述の（Ｖ）の処理は、受信したトラヒックが、拒絶するトラヒック（以下、「拒絶トラヒック」という）か否かを判別する処理である。
【０２１３】
（ＶＩ）次に、動作部２１３は、インクリメントしたカウンタの値を添字とする配列の値が値１である場合（上述の（Ｖ）でＹｅｓの場合）、受信したトラヒックが拒絶トラヒックであり、受信したトラヒックを破棄する。
【０２１４】
（ＶＩＩ）一方、動作部２１３は、インクリメントしたカウンタの値を添字とする配列の値が値０である場合（上述の（Ｖ）でＮｏの場合）、受信したトラヒックを電気信号として抽出部１２に出力する。すなわち、動作部２１３は、受信したトラヒックを装置に受け入れる。
【０２１５】
（ＶＩＩＩ）次に、動作部２１３は、カウンタの値が１００であるか否かを判別する。トラヒックを１００個受信したか否かを確認する為である。
【０２１６】
（ＩＸ）次に、動作部２１３は、カウンタの値が１００である場合（上述の（ＶＩＩＩ）でＹｅｓの場合）は、カウンタの値を初期値０とし、次のトラヒックの受信を待つ。動作部２１３は、該当する組のＧＵＭＭＥＩが示すＭＭＥのトラヒックを受信すると、再度、上述の（ＩＶ）〜（ＩＸ）の処理を行う。
【０２１７】
（Ｘ）一方、動作部２１３は、カウンタの値が１００より小さい値の場合（上述の（ＶＩＩＩ）でＮｏの場合）は、次のトラヒックの受信を待つ。動作部２１３は、該当する組のＧＵＭＭＥＩが示すＭＭＥのトラヒックを受信すると、再度、上述の（ＩＶ）〜（ＩＸ）の処理を行う。
【０２１８】
上述のＳ４９の処理の結果、ＨｅＮＢ２２が、ＭＭＥ毎に異なる着信規制を行う。その結果、各ＭＭＥへのトラヒックが少なくなり、ＭＭＥの輻輳状態が解消される。すなわち、ＨｅＮＢ−ＧＷ２１は、１つのＯｖｅｒｌｏａｄ  Ｓｔａｒｔメッセージで、ＭＭＥ毎に着信規制による輻輳制御を行うことができる。
【０２１９】
なお、動作部２１３は、Ｓ４９の処理において、ＧＵＭＭＥＩが示すＭＭＥのトラヒックのうち、特定のトラヒックについて処理を行ってもよい。例えば、動作部２１３は、ＲＲＣ  Ｃｏｎｎｅｃｔｉｏｎ  ＲｅｑｕｅｓｔメッセージについてＳ４９の処理を行ってもよい。
（７）着信規制の解除について
ＨｅＮＢ−ＧＷ２１とＨｅＮＢ２２、２３、２４は、着信規制の解除を、以下の通り行うことができる。
【０２２０】
まず、ＨｅＮＢ−ＧＷ２１は、Ｏｖｅｒｌｏａｄ  Ｓｔｏｐメッセージを受信すると、図１０に示されるＳ２２、Ｓ２９の処理において、以下の（削除情報）の情報もデータ管理部１１（メモリ）から削除する。
【０２２１】
（削除情報）
・Ｓ２１又はＳ２８の処理で抽出されたＧＵＭＭＥＩと同じ組番号が付与されたＲｅｄｕｃｔｉｏｎ  Ｉｎｄｉｃａｔｉｏｎ。
【０２２２】
さらに、ＨｅＮＢ２２、２３、２４は、上述のＳ２６とＳ３３の処理において抽出したＧＵＭＭＥＩが示すＭＭＥのトラヒックについて行っている着信規制を解除する。その結果、ＨｅＮＢ２２、２３、２４は、図１５に示される上述のＳ１３、Ｓ４９の処理を行う前の状態に戻る。
【０２２３】
上述した以外の動作は、第１の実施形態におけるシステムの動作と同じであるので、省略する。
【０２２４】
［効果の説明］
本実施形態によれば、ＨｅＮＢ−ＧＷは、１つのＯｖｅｒｌｏａｄ  Ｓｔａｒｔメッセージで、ＭＭＥ毎に異なる輻輳制御を着信規制により行うことができる。
【０２２５】
なぜなら、ＨｅＮＢ−ＧＷが、ＧＵＭＭＥＩ毎（ＭＭＥ毎）にＴｒａｆｆｉｃ  Ｌｏａｄ  Ｒｅｄｕｃｔｉｏｎ  Ｉｎｄｉｃａｔｉｏｎを含むメッセージをＨｅＮＢに送信し、ＨｅＮＢが、そのメッセージに基づいてＭＭＥ毎に着信規制を実施するからである。
【０２２６】
≪第３の実施の形態≫
次に、本発明の第３の実施の形態について説明する。
【０２２７】
第３の実施形態のシステムのＨｅＮＢ−ＧＷは、Ｏｖｅｒｌｏａｄ  ＳｔｏｐメッセージをＨｅＮＢ毎に、時間を空けて送信する。これにより、第３の実施形態のシステムのＨｅＮＢ−ＧＷは、トラヒックを制限する動作を解除した各ＨｅＮＢから一斉にトラヒックがＭＭＥに流れることを防ぎ、ＭＭＥが再び輻輳状態となることを十分防ぐことができる。
【０２２８】
以下に、第３の実施の形態のシステムの構成と動作について説明する。
【０２２９】
［構成の説明］
（１）第３の実施形態のシステムの構成
図１６は、本発明の第３の実施の形態におけるシステムの構成例を示す図である。図１７は、本発明の第３の実施の形態におけるシステムに備わるＨｅＮＢ−ＧＷの構成例を示す図である。
【０２３０】
第３の実施形態のシステムは、図１６に示されるように、ＨｅＮＢ−ＧＷ１の代わりにＨｅＮＢ−ＧＷ３１を備える。ＨｅＮＢ−ＧＷ３１は、図１７に示されるように、呼制御部１０＿３の代わりに、呼制御部３１０＿３を備える。
【０２３１】
上述した以外の構成は、第１の実施形態におけるシステムと同じであるので、同一の符号を付して、説明を省略する。
【０２３２】
（２）呼制御部３１０＿３の機能について
呼制御部３１０＿３は、受信したＯｖｅｒｌｏａｄ  ＳｔｏｐメッセージをＨｅＮＢ２、３、４毎に、所定時間、時間を空けて送信する。
【０２３３】
所定時間は、本実施形態のシステムの管理者によって予め呼制御部３１０＿３に設定される。
【０２３４】
上述した以外の機能は、第１の実施形態におけるシステムと同じである。
【０２３５】
［動作の説明］
次に、本実施形態のシステムの動作を説明する。
【０２３６】
図１８は、本発明の第３の実施の形態におけるシステムの動作を説明する為の図である。
【０２３７】
図１８を用いて、本実施形態のシステムの動作を以下に説明する。
【０２３８】
（１）本実施形態のシステムの動作
まず、ＨｅＮＢ−ＧＷ３１の呼制御部３１０＿３は、図１８に示されるように、Ｏｖｅｒｌｏａｄ  Ｓｔｏｐメッセージを呼制御部１０＿１から受信したとする。また、受信したＯｖｅｒｌｏａｄ  Ｓｔｏｐメッセージには、ＭＭＥ５を示すＧＵＭＭＥＩが含まれているものとする。
【０２３９】
その場合、ＨｅＮＢ−ＧＷ３１の呼制御部３１０＿３は、受信したＯｖｅｒｌｏａｄ  ＳｔｏｐメッセージをＨｅＮＢ２に送信する（Ｓ６０）。
【０２４０】
次に、ＨｅＮＢ−ＧＷ３１の呼制御部３１０＿３は、所定時間経過後に、受信したＯｖｅｒｌｏａｄ  ＳｔｏｐメッセージをＨｅＮＢ３に送信する（Ｓ６１）。
【０２４１】
次に、ＨｅＮＢ−ＧＷ３１の呼制御部３１０＿３は、所定時間経過後に、受信したＯｖｅｒｌｏａｄ  ＳｔｏｐメッセージをＨｅＮＢ４に送信する（Ｓ６２）。
【０２４２】
すなわち、ＨｅＮＢ−ＧＷ３１の呼制御部３１０＿３は、Ｏｖｅｒｌｏａｄ  ＳｔｏｐメッセージをＨｅＮＢ２、３、４毎に、所定時間、時間を空けて送信する。Ｏｖｅｒｌｏａｄ  Ｓｔｏｐメッセージを受信したＨｅＮＢ２、３、４は、時間を空けて順番に上述のＳ２５、Ｓ２６を実施し、ＭＭＥ５へのトラヒックを制限する動作を解除していく。
【０２４３】
その結果、本実施形態のシステムのＨｅＮＢ−ＧＷ３１は、トラヒックを制限する動作を解除したＨｅＮＢ２、３、４から一斉にトラヒックがＭＭＥ５に流れることを防ぎ、ＭＭＥ５が再び輻輳状態となることを十分防ぐことができる。
【０２４４】
上述した以外の動作は、第１の実施形態におけるシステムの動作と同じであるので、省略する。
【０２４５】
［効果の説明］
本実施形態のＨｅＮＢ−ＧＷは、輻輳状態が解消されたＭＭＥが再び輻輳状態になることを十分防ぐことができる。
【０２４６】
なぜなら、本実施形態のＨｅＮＢ−ＧＷは、Ｏｖｅｒｌｏａｄ  ＳｔｏｐメッセージをＨｅＮＢ２、３、４毎に、所定時間、時間を空けて送信するからである。これにより、本実施形態のＨｅＮＢ−ＧＷは、各ＨｅＮＢから一斉にトラヒックがＭＭＥに流れることを防ぎ、ＭＭＥが再び輻輳状態となることを十分防ぐことができる。
【０２４７】
≪第４の実施の形態≫
図１９は、本発明の第４の実施の形態におけるシステムの構成例を示す図である。以下に、第４の実施の形態のシステムの構成と動作について説明する。
【０２４８】
［構成の説明］
（１）第４の実施形態のシステムの構成
第４の実施形態のシステムは、図１９に示されるように、中継装置１００が、基地局装置１０１と複数の制御装置１０２、１０３に接続されたシステムである。
【０２４９】
中継装置１００は、制御部１１０を備える。基地局装置１０１は、抽出部１１１と、動作部１１２と、を備える。
【０２５０】
中継装置１００の制御部１１０は、基地局装置１０１の抽出部１１１と、複数の制御装置１０２、１０３に接続される。基地局装置１０１の抽出部１１１は、動作部１１２に接続される。
【０２５１】
中継装置１００は、ＨｅＮＢ−ＧＷ（Ｈｏｍｅ  ｅＮｏｄｅＢ  Ｇａｔｅｗａｙ）であってもよい。制御装置１０２、１０３は、例えば、ＭＭＥ（Ｍｏｂｉｌｉｔｙ  Ｍａｎａｇｅｍｅｎｔ  Ｅｎｔｉｔｙ）であり、基地局装置１０１は、ＨｅＮＢ（Ｈｏｍｅ  ｅＮｏｄｅＢ）であってもよい。
【０２５２】
（２）中継装置１００の制御部１１０の機能
制御部１１０は、制御装置を示す識別子と基地局装置１０１の動作を示す動作情報とを含む所定のメッセージを複数の制御装置１０２、１０３から受信する。
【０２５３】
制御部１１０は、受信した所定のメッセージ各々に含まれる識別子と動作情報の組を１つのメッセージに含めて基地局装置１０１に送信する。
【０２５４】
上述の動作情報は、制御装置との通信を制限する基地局装置１０１の動作を示す情報である。
【０２５５】
（３）基地局装置１０１の機能
基地局装置１０１の抽出部１１１は、中継装置１００から受信した１つのメッセージから制御装置を示す識別子と基地局装置１０１の動作を示す動作情報の組を複数抽出する。
【０２５６】
基地局装置１０１の動作部１１２は、抽出した上述の組毎に、その組の識別子が示す制御装置との通信において、該組の動作情報が示す動作（具体的には、制御装置との通信を制限する動作）を行う。
【０２５７】
［動作の説明］
次に、本実施形態のシステムの動作を説明する。
【０２５８】
（１）中継装置１００におけるメッセージの受信
中継装置１００の制御部１１０は、所定のメッセージを複数の制御装置１０２、１０３から受信したとする。
【０２５９】
制御装置１０２から受信した所定のメッセージは、制御装置１０２を示す識別子(以下、「識別子Ａ」という)と、基地局装置１０１の動作を示す動作情報(以下、「動作情報Ａ」という)と、を含む。また、制御装置１０３から受信した所定のメッセージは、制御装置１０３を示す識別子(以下、「識別子Ｂ」という)と、基地局装置１０１の動作を示す動作情報(以下、「動作情報Ｂ」という)と、を含む。
【０２６０】
上述の所定のメッセージは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）に規定されるＯｖｅｒｌｏａｄ  Ｓｔａｒｔメッセージであってもよい。その場合、上述の識別子はＧＵＭＭＥＩであり、動作情報は、Ｏｖｅｒｌｏａｄ  Ｒｅｓｐｏｎｓｅである。
【０２６１】
（２）中継装置１００の動作
中継装置１００の制御部１１０は、複数の制御装置１０２、１０３から受信した所定のメッセージ各々に含まれる識別子Ａと動作情報Ａの組、識別子Ｂと動作情報Ｂの組を１つのメッセージに含めて基地局装置１０１に送信する。
【０２６２】
（３）基地局装置１０１の動作
基地局装置１０１の抽出部１１１は、中継装置１００から受信した１つのメッセージから制御装置を示す識別子と基地局装置１０１の動作を示す動作情報の組を複数抽出する。
【０２６３】
具体的には、基地局装置１０１の抽出部１１１は、制御装置１０２を示す識別子Ａと動作情報Ａの組（以下、「組Ａ」という）と、制御装置１０３を示す識別子Ｂと動作情報Ｂの組（以下、「組Ｂ」という）と、を抽出する。
【０２６４】
次に、基地局装置１０１の動作部１１２は、抽出部１１１が抽出した上述の組毎に、その組の識別子が示す制御装置との通信において、該組の動作情報が示す動作を行う。
【０２６５】
具体的には、基地局装置１０１の動作部１１２は、組Ａの識別子Ａが示す制御装置１０２との通信において、動作情報Ａが示す動作（以下、「動作Ａ」という）を行う。また、基地局装置１０１の動作部１１２は、組Ｂの識別子Ｂが示す制御装置１０３との通信において、動作情報Ｂが示す動作（以下、「動作Ｂ」という）を行う。動作Ａと動作Ｂは、互いに異なる動作で、動作Ａは、制御装置１０２との通信を制限する動作であり、動作Ｂは、制御装置１０３との通信を制限する動作である。
【０２６６】
その結果、制御装置１０２、１０３へのトラヒックが少なくなり、制御装置１０２、１０３の輻輳状態が解消する。
【０２６７】
上述の動作に通り、中継装置１００は、１つのメッセージで、制御装置１０２、１０３との通信それぞれに異なる制限をかけ、制御装置１０２、１０３の輻輳状態を解消することができる。すなわち、中継装置１００は、１つのメッセージで、ＭＭＥ毎に異なる輻輳制御を行うことができる。
【０２６８】
なお、上述の動作Ａは、制御装置１０２へのトラヒックを制限する動作、例えば、制御装置１０２のトラヒックにおいてＲＲＣコネクションの確立に係るトラヒックを拒絶する動作であってもよい。また、上述の動作Ｂは、制御装置１０３へのトラヒックを制限する動作、例えば、制御装置１０３のトラヒックにおいて高優先度のセッションのトラヒック以外のトラヒックを拒絶する動作であってもよい。
【０２６９】
［効果の説明］
本実施形態によれば、中継装置１００は、１つのＯｖｅｒｌｏａｄ  Ｓｔａｒｔメッセージで、制御装置１０２、１０３毎に異なる輻輳制御を行うことができる。
【０２７０】
なぜなら、中継装置１００は、制御装置を示す識別子毎に基地局の動作を示す動作情報をメッセージに設定して送信し、基地局装置１０１に、そのメッセージに基づいて制御装置毎に通信を制限する動作を実施させるからである。
【０２７１】
上記の各実施形態の一部又は全部は、以下の付記のようにも記載されうるが、以下には限られない。
（付記１）
基地局装置と複数の制御装置に接続された中継装置であって、
前記制御装置を示す識別子と前記基地局装置の動作を示す動作情報とを含む所定のメッセージを複数の前記制御装置から受信した場合、受信した前記所定のメッセージ各々に含まれる前記識別子と前記動作情報の組を１つのメッセージに含めて前記基地局装置に送信する制御手段を備え、
前記動作情報は、前記制御装置との通信を制限する前記基地局装置の動作を示す情報である、
ことを特徴とする中継装置。
（付記２）
前記所定のメッセージは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）に規定されるＯｖｅｒｌｏａｄ  Ｓｔａｒｔメッセージである、
ことを特徴とする付記１に記載の中継装置。
（付記３）
前記動作情報は、受信を拒否するトラヒックの割合を示す規制情報を含む、
ことを特徴とする付記１乃至２のいずれか１項に記載の中継装置。
（付記４）
前記規制情報は、３ＧＰＰに規定されるＴｒａｆｆｉｃ  Ｌｏａｄ  Ｒｅｄｕｃｔｉｏｎ  Ｉｎｄｉｃａｔｉｏｎである、
ことを特徴とする付記３に記載の中継装置。
（付記５）
複数の前記基地局装置に接続し、
前記制御手段は、前記制御装置から受信した３ＧＰＰに規定されるＯｖｅｒｌｏａｄ  Ｓｔｏｐメッセージを、前記基地局装置毎に所定時間、時間を空けて送信する、
ことを特徴とする付記１乃至４のいずれか１項に記載の中継装置。
（付記６）
前記制御手段は、
接続する第１の前記制御装置から受信した前記メッセージに含まれる前記識別子と前記動作情報の組を記憶手段に記憶する第１の呼制御手段と、
接続する第２の前記制御装置から受信した前記メッセージに含まれる前記識別子と前記動作情報の組を前記記憶手段に記憶する第２の呼制御手段と、
所定の契機に、前記記憶手段に記憶された前記識別子と前記動作情報との組を全て前記メッセージに含めて前記基地局装置に送信する第３の呼制御手段と、
を備えることを特徴とする付記１乃至５のいずれか１項に記載の中継装置。
（付記７）
前記識別子は、３ＧＰＰに規定されるＧＵＭＭＥＩであり、
前記動作情報は、３ＧＰＰに規定されるＯｖｅｒｌｏａｄ  Ｒｅｓｐｏｎｓｅである、ことを特徴とする付記１乃至６のいずれか１項に記載の中継装置。
（付記８）
前記中継装置は、ＨｅＮＢ−ＧＷ（Ｈｏｍｅ  ｅＮｏｄｅＢ  Ｇａｔｅｗａｙ）である、
ことを特徴とする付記１乃至７のいずれか１項に記載の中継装置。
（付記９）
中継装置を介して複数の制御装置に接続された基地局装置であって、
前記中継装置から受信した１つのメッセージから、前記制御装置を示す識別子と前記基地局装置の動作を示す動作情報の組を複数抽出する抽出手段と、
抽出した前記組毎に、前記組の前記識別子が示す前記制御装置との通信において、前記組の前記動作情報が示す動作を行う動作手段と、を備え、
前記動作は、前記通信を制限する動作である、
ことを特徴とする基地局装置。
（付記１０）
前記識別子は、３ＧＰＰに規定されるＧＵＭＭＥＩであり、
前記動作情報は、３ＧＰＰに規定されるＯｖｅｒｌｏａｄ  Ｒｅｓｐｏｎｓｅである、ことを特徴とする付記９に記載の基地局装置。
（付記１１）
前記動作情報は、受信を拒否するトラヒックの割合を示す規制情報を含み、
前記動作手段は、前記通信において、前記動作情報から抽出した前記規制情報が示す割合で、受信したトラヒックを拒否する動作を行う、
ことを特徴とする付記９乃至１０のいずれか１項に記載の基地局装置。
（付記１２）
前記規制情報は、３ＧＰＰに規定されるＴｒａｆｆｉｃ  Ｌｏａｄ  Ｒｅｄｕｃｔｉｏｎ  Ｉｎｄｉｃａｔｉｏｎである、
ことを特徴とする付記１１に記載の基地局装置。
（付記１３）
前記拒否する動作とは、破棄する動作である、
ことを特徴とする付記１１乃至１２のいずれか１項に記載の基地局装置。
（付記１４）
前記動作手段は、前記中継装置から３ＧＰＰに規定されるＯｖｅｒｌｏａｄ  Ｓｔｏｐメッセージを受信すると、通信を制限する前記動作を停止する、
ことを特徴とする付記９乃至１３のいずれか１項に記載の基地局装置。
（付記１５）
中継装置が基地局装置と複数の制御装置に接続されたシステムであって、
前記中継装置は、付記１乃至８のいずれか１項に記載の中継装置であり、
前記基地局装置は、付記９乃至１４のいずれか１項に記載の基地局装置である、
ことを特徴とするシステム。
（付記１６）
基地局装置と複数の制御装置に接続された装置の方法であって、
前記制御装置を示す識別子と前記基地局装置の動作を示す動作情報とを含む所定のメッセージを複数の前記制御装置から受信した場合、受信した前記所定のメッセージ各々に含まれる前記識別子と前記動作情報の組を１つのメッセージに含めて前記基地局装置に送信し、
前記動作情報は、前記制御装置との通信を制限する前記基地局装置の動作を示す情報である、
ことを特徴とする方法。
（付記１７）
前記所定のメッセージは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）に規定されるＯｖｅｒｌｏａｄ  Ｓｔａｒｔメッセージである、
ことを特徴とする付記１６に記載の方法。
（付記１８）
前記動作情報は、受信を拒否するトラヒックの割合を示す規制情報を含む、
ことを特徴とする付記１６乃至１７のいずれか１項に記載の方法。
（付記１９）
前記規制情報は、３ＧＰＰに規定されるＴｒａｆｆｉｃ  Ｌｏａｄ  Ｒｅｄｕｃｔｉｏｎ  Ｉｎｄｉｃａｔｉｏｎである、
ことを特徴とする付記１８に記載の方法。
（付記２０）
複数の前記基地局装置に接続された前記装置の方法であって、
前記制御装置から受信した３ＧＰＰに規定されるＯｖｅｒｌｏａｄ  Ｓｔｏｐメッセージを、前記基地局装置毎に所定時間、時間を空けて送信する、
ことを特徴とする付記１６乃至１９のいずれか１項に記載の方法。
（付記２１）
前記識別子と前記動作情報の組を前記基地局装置に送信する場合においては、
第１の前記制御装置から受信した前記メッセージに含まれる前記識別子と前記動作情報の組を記憶手段に記憶し、
第２の前記制御装置から受信した前記メッセージに含まれる前記識別子と前記動作情報の組を前記記憶手段に記憶し、
所定の契機に、前記記憶手段に記憶された前記識別子と前記動作情報との組を全て前記メッセージに含めて前記基地局装置に送信する、
ことを特徴とする付記１６乃至２０のいずれか１項に記載の方法。
（付記２２）
前記識別子は、３ＧＰＰに規定されるＧＵＭＭＥＩであり、
前記動作情報は、３ＧＰＰに規定されるＯｖｅｒｌｏａｄ  Ｒｅｓｐｏｎｓｅである、ことを特徴とする付記１６乃至２１のいずれか１項に記載の方法。
（付記２３）
前記制御装置に接続された前記装置は、ＨｅＮＢ−ＧＷ（Ｈｏｍｅ  ｅＮｏｄｅＢ  Ｇａｔｅｗａｙ）である、
ことを特徴とする付記１６乃至２２のいずれか１項に記載の方法。
（付記２４）
基地局装置と複数の制御装置に接続された装置のプロセッサに、
前記制御装置を示す識別子と前記基地局装置の動作を示す動作情報とを含む所定のメッセージを複数の前記制御装置から受信した場合、受信した前記所定のメッセージ各々に含まれる前記識別子と前記動作情報の組を１つのメッセージに含めて前記基地局装置に送信する制御処理を行わせるためのプログラムを記録した記録媒体であり、
前記動作情報は、前記制御装置との通信を制限する前記基地局装置の動作を示す情報である、
ことを特徴とするプログラムを記録した記録媒体。
（付記２５）
前記所定のメッセージは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）に規定されるＯｖｅｒｌｏａｄ  Ｓｔａｒｔメッセージである、
ことを特徴とする付記２４に記載のプログラムを記録した記録媒体。
（付記２６）
前記動作情報は、受信を拒否するトラヒックの割合を示す規制情報を含む、
ことを特徴とする付記２４乃至２５のいずれか１項に記載のプログラムを記録した記録媒体。
（付記２７）
前記規制情報は、３ＧＰＰに規定されるＴｒａｆｆｉｃ  Ｌｏａｄ  Ｒｅｄｕｃｔｉｏｎ  Ｉｎｄｉｃａｔｉｏｎである、
ことを特徴とする付記２６に記載のプログラムを記録した記録媒体。
（付記２８）
複数の前記基地局装置に接続された前記装置のプロセッサに、
前記制御装置から受信した３ＧＰＰに規定されるＯｖｅｒｌｏａｄ  Ｓｔｏｐメッセージを、前記基地局装置毎に所定時間、時間を空けて送信する送信処理を行わせる、
ことを特徴とする付記２４乃至２７のいずれか１項に記載のプログラムを記録した記録媒体。
（付記２９）
前記制御処理は、
第１の前記制御装置から受信した前記メッセージに含まれる前記識別子と前記動作情報の組を記憶手段に記憶する第１の呼制御処理と、
第２の前記制御装置から受信した前記メッセージに含まれる前記識別子と前記動作情報の組を前記記憶手段に記憶する第２の呼制御処理と、
所定の契機に、前記記憶手段に記憶された前記識別子と前記動作情報との組を全て前記メッセージに設定して前記基地局装置に送信する第３の呼制御処理と、を有する、
ことを特徴とする付記２４乃至２８のいずれか１項に記載のプログラムを記録した記録媒体。
（付記３０）
前記識別子は、３ＧＰＰに規定されるＧＵＭＭＥＩであり、
前記動作情報は、３ＧＰＰに規定されるＯｖｅｒｌｏａｄ  Ｒｅｓｐｏｎｓｅである、ことを特徴とする付記２４乃至２９のいずれか１項に記載のプログラムを記録した記録媒体。
（付記３１）
前記制御装置に接続された前記装置は、ＨｅＮＢ−ＧＷ（Ｈｏｍｅ  ｅＮｏｄｅＢ  Ｇａｔｅｗａｙ）である、
ことを特徴とする付記２４乃至３０のいずれか１項に記載のプログラムを記録した記録媒体。
（付記３２）
基地局装置と複数の制御装置に接続された装置のプロセッサに、
前記制御装置を示す識別子と前記基地局装置の動作を示す動作情報とを含む所定のメッセージを複数の前記制御装置から受信した場合、受信した前記所定のメッセージ各々に含まれる前記識別子と前記動作情報の組を１つのメッセージに含めて前記基地局装置に送信する制御処理を行わせるためのプログラムであり、
前記動作情報は、前記制御装置との通信を制限する前記基地局装置の動作を示す情報である、
ことを特徴とするプログラム。
（付記３３）
前記所定のメッセージは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）に規定されるＯｖｅｒｌｏａｄ  Ｓｔａｒｔメッセージである、
ことを特徴とする付記３２に記載のプログラム。
（付記３４）
前記動作情報は、受信を拒否するトラヒックの割合を示す規制情報を含む、
ことを特徴とする付記３２乃至３３のいずれか１項に記載のプログラム。
（付記３５）
前記規制情報は、３ＧＰＰに規定されるＴｒａｆｆｉｃ  Ｌｏａｄ  Ｒｅｄｕｃｔｉｏｎ  Ｉｎｄｉｃａｔｉｏｎである、
ことを特徴とする付記３４に記載のプログラム。
（付記３６）
複数の前記基地局装置に接続された前記装置のプロセッサに、
前記制御装置から受信した３ＧＰＰに規定されるＯｖｅｒｌｏａｄ  Ｓｔｏｐメッセージを、前記基地局装置毎に所定時間、時間を空けて送信する送信処理を行わせる、
ことを特徴とする付記３２乃至３５のいずれか１項に記載のプログラム。
（付記３７）
前記制御処理は、
第１の前記制御装置から受信した前記メッセージに含まれる前記識別子と前記動作情報の組を記憶手段に記憶する第１の呼制御処理と、
第２の前記制御装置から受信した前記メッセージに含まれる前記識別子と前記動作情報の組を前記記憶手段に記憶する第２の呼制御処理と、
所定の契機に、前記記憶手段に記憶された前記識別子と前記動作情報との組を全て前記メッセージに設定して前記基地局装置に送信する第３の呼制御処理と、を有する、
ことを特徴とする付記３２乃至３６のいずれか１項に記載のプログラム。
（付記３８）
前記識別子は、３ＧＰＰに規定されるＧＵＭＭＥＩであり、
前記動作情報は、３ＧＰＰに規定されるＯｖｅｒｌｏａｄ  Ｒｅｓｐｏｎｓｅである、ことを特徴とする付記３２乃至３７のいずれか１項に記載のプログラム。
（付記３９）
前記制御装置に接続された前記装置は、ＨｅＮＢ−ＧＷ（Ｈｏｍｅ  ｅＮｏｄｅＢ  Ｇａｔｅｗａｙ）である、
ことを特徴とする付記３２乃至３８のいずれか１項に記載のプログラム。
（付記４０）
前記制御ステップは、
第１の前記制御装置から受信した前記メッセージに含まれる前記識別子と前記動作情報の組を記憶手段に記憶する第１の呼制御ステップと、
第２の前記制御装置から受信した前記メッセージに含まれる前記識別子と前記動作情報の組を前記記憶手段に記憶する第２の呼制御ステップと、
所定の契機に、前記記憶手段に記憶された前記識別子と前記動作情報との組を全て前記メッセージに含めて前記基地局装置に送信する第３の呼制御ステップと、
を有することを特徴とする付記１６乃至２０のいずれか１項に記載の方法。
【０２７２】
以上、実施形態を参照して本願発明を説明したが、本願発明は上記実施形態に限定されるものではない。本願発明の構成や詳細には、本願発明のスコープ内で当業者が理解し得る様々な変更をすることができる。
【０２７３】
この出願は、２０１８年３月７日に出願された日本出願特願２０１８−０４０９７２を基礎とする優先権を主張し、その開示の全てをここに取り込む。
【符号の説明】
【０２７４】
１、２１、３１    ＨｅＮＢ−ＧＷ
２、３、４、２２、２３、２４    ＨｅＮＢ
５、６、２５、２６、９０  ＭＭＥ
９１、９２、９３    アクセスポイント
９４    コンセントレータ構成要素
１０＿１、１０＿２、１０＿３、２１０＿１〜２１０＿３、３１０＿３    呼制御部
１１    データ管理部
１２、１１１    抽出部
１３、１１２、２１３    動作部
１００    中継装置
１０１    基地局装置
１０２、１０３    制御装置
１１０    制御部
【図１】
0006958720.tif 000002
【図２】
0006958720.tif 000003
【図３】
0006958720.tif 000004
【図４】
0006958720.tif 000005
【図５】
0006958720.tif 000006
【図６】
0006958720.tif 000007
【図７】
0006958720.tif 000008
【図８】
0006958720.tif 000009
【図９】
0006958720.tif 000010
【図１０】
0006958720.tif 000011
【図１１】
0006958720.tif 000012
【図１２】
0006958720.tif 000013
【図１３】
0006958720.tif 000014
【図１４】
0006958720.tif 000015
【図１５】
0006958720.tif 000016
【図１６】
0006958720.tif 000017
【図１７】
0006958720.tif 000018
【図１８】
0006958720.tif 000019
【図１９】
0006958720.tif 000020